(57)【要約】      （修正有）【課題】ネイバーアウェアネットワーク（ＮＡＮ）データリンク（ＮＤＬ）クラスタ中でクロックを同期させるための装置及び方法を提供する。【解決手段】装置は、第１のネットワーククラスタに関連する第１のクロックに対する第１のオフセットを有する第１のデータ通信ウィンドウ（ＤＣＷ）タイムラインに従って、装置を含むグループの１つまたは複数のメンバーと通信し、第２のネットワーククラスタのデバイスによって送信され第２のネットワーククラスタに関連する第２のクロックのタイミング情報を備えるビーコンを検出する。装置は、第２のネットワーククラスタへのグループの移動を開始すべきかどうかを決定し、第２のネットワーククラスタへのグループの移動を開始するために、第２のクロックのタイミング情報の第１のインジケーションを備えるフレームを生成する。【選択図】図９
2019083573.tif 000002
【特許請求の範囲】
【請求項１】
ワイヤレス通信のための装置であって、
第１のネットワーククラスタに関連する第１のクロックに対する第１のオフセットを有する第１のデータ通信ウィンドウ（ＤＣＷ）タイムラインに従って、前記装置を含むグループの１つまたは複数のメンバーと通信することと、
第２のネットワーククラスタに関連するビーコンを検出すること、ここにおいて、前記ビーコンは、前記第２のネットワーククラスタに関連する第２のクロックのタイミング情報を備える、と、
前記第２のネットワーククラスタへの前記グループの移動を開始すべきかどうかを決定することと、
前記決定が前記移動を開始することである場合、前記第２のネットワーククラスタへの前記グループの前記移動を開始するためにフレームを生成すること、前記フレームが、前記第２のクロックの前記タイミング情報の第１のインジケーションを備える、と
を行うように構成された処理システムと、
送信のために前記フレームを出力するように構成されたインターフェースと
を備える、装置。
【請求項２】
前記インターフェースは、前記第１のＤＣＷタイムラインの１つまたは複数のＤＣＷ中の送信のために前記フレームを出力するように構成された、
請求項１に記載の装置。
【請求項３】
前記フレームは、前記グループが前記第２のネットワーククラスタに移動する時間の第２のインジケーションをさらに備える、
請求項１に記載の装置。
【請求項４】
前記フレームは、前記装置が前記第２のネットワーククラスタに移動する時間の第２のインジケーションをさらに備える、
請求項１に記載の装置。
【請求項５】
前記フレームは、ランクの第２のインジケーションをさらに備え、ここにおいて、前記ランクは、前記第２のネットワーククラスタ中のデバイスが前記第１のネットワーククラスタまたは前記第２のネットワーククラスタ中のアンカーマスタとして動作する等級を表す、
請求項１に記載の装置。
【請求項６】
前記タイミング情報は、前記第２のネットワーククラスタのタイミング同期機能（ＴＳＦ）値を備える、
請求項１に記載の装置。
【請求項７】
前記タイミング情報は、前記第１のネットワーククラスタのタイミング同期機能（ＴＳＦ）値に対する前記第２のネットワーククラスタのＴＳＦ値の第２のオフセットを備える、
請求項１に記載の装置。
【請求項８】
前記処理システムは、前記第２のクロックの前記タイミング情報に基づいて、前記移動の後に前記グループのメンバーによってデータを通信するためのＤＣＷの発生のための第２のＤＣＷタイムラインを決定するように構成された、
請求項１に記載の装置。
【請求項９】
前記第１のＤＣＷタイムラインは、ＤＣＷのシーケンスと第１のオフセット値とに基づき、
前記第２のＤＣＷタイムラインの前記決定は、前記シーケンスと第２のオフセット値とに基づく、
請求項８に記載の装置。
【請求項１０】
前記第２のＤＣＷタイムラインは、前記第２のネットワーククラスタに関連する前記第２のクロックに対する第２のオフセットを有し、前記第２のオフセットは、前記第１のオフセットに等しい、
請求項８に記載の装置。
【請求項１１】
前記処理システムは、
前記第２のクロックの前記タイミング情報を備えるネイバーアウェアネットワーキング（ＮＡＮ）ビーコンを生成することを行うように構成され、
前記インターフェースは、前記グループが前記第２のネットワーククラスタに移動した後に前記第２のネットワーククラスタの発見ウィンドウ（ＤＷ）中の送信のために前記ＮＡＮビーコンを出力するように構成された、
請求項１に記載の装置。
【請求項１２】
前記ビーコンは、前記第２のネットワーククラスタ中のデバイスが前記第１のネットワーククラスタまたは前記第２のネットワーククラスタ中のアンカーマスタとして動作する等級を表すランクをさらに備え、前記決定が、前記ランクに基づく、
請求項１に記載の装置。
【請求項１３】
前記決定は、少なくともしきい値回数前記ビーコンを検出することに基づく、
請求項１に記載の装置。
【請求項１４】
前記決定は、前記第２のネットワーククラスタ中でのサービスの存在に基づき、
前記処理システムは、前記決定が前記サービスが存在するというものである場合に前記移動を開始するように構成された、
請求項１に記載の装置。
【請求項１５】
前記処理システムは、
前記装置のプロパティ、前記グループの別のメンバーとの合意、前記第１のネットワーククラスタのプロパティ、または前記装置上で動作するアプリケーションのうちの少なくとも１つに基づいて送信のために前記フレームを出力する時間を決定することと、
前記決定された時間まで送信のために前記フレームを出力することを遅延させることと
を行うようにさらに構成された、請求項１に記載の装置。
【請求項１６】
前記処理システムは、
送信のために前記フレームを出力した後に応答を取得することと、
前記応答が前記移動の拒否を備える場合、前記第２のネットワーククラスタに移動すべきか、または前記第２のネットワーククラスタへの前記移動をキャンセルすべきかを決定することと
を行うようにさらに構成された、請求項１に記載の装置。
【請求項１７】
ワイヤレス通信のための装置であって、
第１のネットワーククラスタから第２のネットワーククラスタへの、前記装置を含むデバイスのグループの移動を告知する第１のフレームを取得するように構成された受信インターフェース、ここにおいて、前記第１のフレームは、前記第２のネットワーククラスタに関連するクロックのタイミング情報を備える、と、
前記タイミング情報に基づいて、前記装置が前記移動の後に前記グループの１つまたは複数のメンバーとデータを通信するためのデータ通信ウィンドウ（ＤＣＷ）タイムラインを決定することと、
前記ＤＣＷタイムラインに従って前記移動の後に前記グループの前記１つまたは複数のメンバーと通信することと
を行うように構成された処理システムと
を備える、装置。
【請求項１８】
前記処理システムは、前記移動を告知する第２のフレームを生成するように構成され、前記第２のフレームは、前記第２のネットワーククラスタに関連する前記クロックの前記タイミング情報を備える、
前記装置は、送信のために前記第２のフレームを出力するように構成された送信インターフェースを備える、
請求項１７に記載の装置。
【請求項１９】
前記処理システムは、前記移動を告知する第２のフレームを生成するように構成され、前記第２のフレームは、前記ＤＣＷタイムラインに関する情報を備える、
前記装置は、送信のために前記第２のフレームを出力するように構成された送信インターフェースを備える、
請求項１７に記載の装置。
【請求項２０】
前記受信インターフェースは、前記ＤＣＷタイムラインを確認する前記第２のフレームに対する応答を取得するようにさらに構成され、
前記処理システムは、前記応答が取得された後に前記ＤＣＷタイムラインに従って前記グループの前記１つまたは複数のメンバーと通信するように構成された、
請求項１９に記載の装置。
【請求項２１】
前記処理システムは、前記移動より前に使用された別のＤＣＷタイムラインの、前記第１のネットワーククラスタに関連する発見ウィンドウ（ＤＷ）に対する第１のオフセットを決定するようにさらに構成され、
前記処理システムは、前記他のＤＣＷタイムラインと前記第２のネットワーククラスタに関連するＤＷに対する第２のオフセットとに基づいて前記ＤＣＷタイムラインを決定するように構成された、
請求項１７に記載の装置。
【請求項２２】
前記移動より前に使用された別のＤＣＷタイムラインが、ＤＣＷのシーケンスと第１のオフセット値とに基づき、
前記処理システムは、前記シーケンスと第２のオフセット値とに基づいて前記ＤＣＷタイムラインを決定するように構成された、
請求項１７に記載の装置。
【請求項２３】
装置によるワイヤレス通信のための方法であって、
第１のネットワーククラスタに関連する第１のクロックに対する第１のオフセットを有する第１のデータ通信ウィンドウ（ＤＣＷ）タイムラインに従って、前記装置を含むグループの１つまたは複数のメンバーと通信することと、
第２のネットワーククラスタに関連するビーコンを検出すること、ここにおいて、前記ビーコンは、前記第２のネットワーククラスタに関連する第２のクロックのタイミング情報を備える、と、
前記第２のネットワーククラスタへの前記グループの移動を開始すべきかどうかを決定することと、
前記決定が前記移動を開始することである場合、前記第２のネットワーククラスタへの前記グループの前記移動を開始するためにフレームを生成すること、前記フレームは、前記第２のクロックの前記タイミング情報の第１のインジケーションを備える、と、
送信のために前記フレームを出力することと
を備える、方法。
【請求項２４】
前記フレームは、前記第１のＤＣＷタイムラインの１つまたは複数のＤＣＷ中の送信のために出力される、
請求項２３に記載の方法。
【請求項２５】
前記フレームは、前記グループが前記第２のネットワーククラスタに移動する時間の第２のインジケーションをさらに備える、
請求項２３に記載の方法。
【請求項２６】
前記フレームは、前記装置が前記第２のネットワーククラスタに移動する時間の第２のインジケーションをさらに備える、
請求項２３に記載の方法。
【請求項２７】
前記フレームは、ランクの第２のインジケーションをさらに備え、前記ランクは、前記第２のネットワーククラスタ中のデバイスが前記第１のネットワーククラスタまたは前記第２のネットワーククラスタ中のアンカーマスタとして動作する等級を表す、
請求項２３に記載の方法。
【請求項２８】
前記タイミング情報は、前記第２のネットワーククラスタのタイミング同期機能（ＴＳＦ）値を備える、
請求項２３に記載の方法。
【請求項２９】
前記タイミング情報は、前記第１のネットワーククラスタのタイミング同期機能（ＴＳＦ）値に対する前記第２のネットワーククラスタのＴＳＦ値の第２のオフセットを備える、
請求項２３に記載の方法。
【請求項３０】
前記第２のクロックの前記タイミング情報に基づいて、前記移動の後に前記グループのメンバーによってデータを通信するためのＤＣＷの発生のための第２のＤＣＷタイムラインを決定することをさらに備える、
請求項２３に記載の方法。
【請求項３１】
前記第１のＤＣＷタイムラインは、ＤＣＷのシーケンスと第１のオフセット値とに基づき、
前記第２のＤＣＷタイムラインの前記決定は、前記シーケンスと第２のオフセット値とに基づく、
請求項３０に記載の方法。
【請求項３２】
前記第２のＤＣＷタイムラインは、前記第２のネットワーククラスタに関連する前記第２のクロックに対する第２のオフセットを有し、前記第２のオフセットは、前記第１のオフセットに等しい、
請求項３０に記載の方法。
【請求項３３】
前記第２のクロックの前記タイミング情報を備えるネイバーアウェアネットワーキング（ＮＡＮ）ビーコンを生成することと、
前記グループが前記第２のネットワーククラスタに移動した後に前記第２のネットワーククラスタの発見ウィンドウ（ＤＷ）中の送信のために前記ＮＡＮビーコンを出力することと
をさらに備える、請求項２３に記載の方法。
【請求項３４】
前記ビーコンは、前記第２のネットワーククラスタ中のデバイスが前記第１のネットワーククラスタまたは前記第２のネットワーククラスタ中のアンカーマスタとして動作する等級を表すランクをさらに備え、前記決定は、前記ランクに基づく、
請求項２３に記載の方法。
【請求項３５】
前記決定は、少なくともしきい値回数前記ビーコンを検出することに基づく、
請求項２３に記載の方法。
【請求項３６】
前記決定は、前記第２のネットワーククラスタ中でのサービスの存在に基づき、
前記移動は、前記決定が前記サービスが存在するというものである場合に開始される、
請求項２３に記載の方法。
【請求項３７】
前記装置のプロパティ、前記グループの別のメンバーとの合意、前記第１のネットワーククラスタのプロパティ、または前記装置上で動作するアプリケーションのうちの少なくとも１つに基づいて送信のために前記フレームを出力する時間を決定することと、
前記決定された時間まで送信のために前記フレームを出力することを遅延させることと
をさらに備える、請求項２３に記載の方法。
【請求項３８】
送信のために前記フレームを出力した後に応答を取得することと、
前記応答が前記移動の拒否を備える場合、前記第２のネットワーククラスタに移動すべきか、または前記第２のネットワーククラスタへの前記移動をキャンセルすべきかを決定することと
をさらに備える、請求項２３に記載の方法。
【請求項３９】
装置によるワイヤレス通信のための方法であって、
第１のネットワーククラスタから第２のネットワーククラスタへの、前記装置を含むデバイスのグループの移動を告知する第１のフレームを取得すること、ここにおいて、前記第１のフレームは、前記第２のネットワーククラスタに関連するクロックのタイミング情報を備える、と、
前記タイミング情報に基づいて、前記装置が前記移動の後に前記グループの１つまたは複数のメンバーとデータを通信するためのデータ通信ウィンドウ（ＤＣＷ）タイムラインを決定することと、
前記ＤＣＷタイムラインに従って前記移動の後に前記グループの前記１つまたは複数のメンバーと通信することと
を備える、方法。
【請求項４０】
前記移動を告知する第２のフレームを生成することと、前記第２のフレームは、前記第２のネットワーククラスタに関連する前記クロックの前記タイミング情報を備える、
送信のために前記第２のフレームを出力することと
をさらに備える、請求項３９に記載の方法。
【請求項４１】
前記移動を告知する第２のフレームを生成することと、前記第２のフレームは、前記ＤＣＷタイムラインに関する情報を備える、と、
送信のために前記第２のフレームを出力することと
をさらに備える、請求項３９に記載の方法。
【請求項４２】
前記ＤＣＷタイムラインを確認する前記第２のフレームに対する応答を取得することと、
前記応答が取得された後に前記ＤＣＷタイムラインに従って前記グループの前記１つまたは複数のメンバーと通信することと
をさらに備える、請求項４１に記載の方法。
【請求項４３】
前記移動より前に使用された別のＤＣＷタイムラインの、前記第１のネットワーククラスタに関連する発見ウィンドウ（ＤＷ）に対する第１のオフセットを決定することと、
前記他のＤＣＷタイムラインと前記第２のネットワーククラスタに関連するＤＷに対する第２のオフセットとに基づいて前記ＤＣＷタイムラインを決定することと
をさらに備える、請求項３９に記載の装置。
【請求項４４】
前記移動より前に使用された別のＤＣＷタイムラインが、ＤＣＷのシーケンスと第１のオフセット値とに基づき、
前記方法は、前記シーケンスと第２のオフセット値とに基づいて前記ＤＣＷタイムラインを決定することをさらに備える、
請求項３９に記載の方法。
【請求項４５】
ワイヤレス通信のための装置であって、
第１のネットワーククラスタに関連する第１のクロックに対する第１のオフセットを有する第１のデータ通信ウィンドウ（ＤＣＷ）タイムラインに従って、前記装置を含むグループの１つまたは複数のメンバーと通信するための手段と、
第２のネットワーククラスタに関連するビーコンを検出するための手段、ここにおいて、前記ビーコンは、前記第２のネットワーククラスタに関連する第２のクロックのタイミング情報を備える、と、
前記第２のネットワーククラスタへの前記グループの移動を開始すべきかどうかを決定するための手段と、
前記決定が前記移動を開始することである場合、前記第２のネットワーククラスタへの前記グループの前記移動を開始するためにフレームを生成するための手段、前記フレームは、前記第２のクロックの前記タイミング情報の第１のインジケーションを備える、と、
送信のために前記フレームを出力するための手段と
を備える、装置。
【請求項４６】
前記フレームは、前記第１のＤＣＷタイムラインの１つまたは複数のＤＣＷ中の送信のために出力される、
請求項４５に記載の装置。
【請求項４７】
前記フレームは、前記グループが前記第２のネットワーククラスタに移動する時間の第２のインジケーションをさらに備える、
請求項４５に記載の装置。
【請求項４８】
前記フレームは、前記装置が前記第２のネットワーククラスタに移動する時間の第２のインジケーションをさらに備える、
請求項４５に記載の装置。
【請求項４９】
前記フレームは、ランクの第２のインジケーションをさらに備え、前記ランクは、前記第２のネットワーククラスタ中のデバイスが前記第１のネットワーククラスタまたは前記第２のネットワーククラスタ中のアンカーマスタとして動作する等級を表す、
請求項４５に記載の装置。
【請求項５０】
前記タイミング情報は、前記第２のネットワーククラスタのタイミング同期機能（ＴＳＦ）値を備える、
請求項４５に記載の装置。
【請求項５１】
前記タイミング情報は、前記第１のネットワーククラスタのタイミング同期機能（ＴＳＦ）値に対する前記第２のネットワーククラスタのＴＳＦ値の第２のオフセットを備える、
請求項４５に記載の装置。
【請求項５２】
前記第２のクロックの前記タイミング情報に基づいて、前記移動の後に前記グループのメンバーによってデータを通信するためのＤＣＷの発生のための第２のＤＣＷタイムラインを決定するための手段をさらに備える、
請求項４５に記載の装置。
【請求項５３】
前記第１のＤＣＷタイムラインは、ＤＣＷのシーケンスと第１のオフセット値とに基づき、
前記第２のＤＣＷタイムラインの前記決定は、前記シーケンスと第２のオフセット値とに基づく、
請求項５２に記載の装置。
【請求項５４】
前記第２のＤＣＷタイムラインは、前記第２のネットワーククラスタに対する前記第２のクロックに関係する第２のオフセットを有し、前記第２のオフセットは、前記第１のオフセットに等しい、
請求項５２に記載の装置。
【請求項５５】
前記第２のクロックの前記タイミング情報を備えるネイバーアウェアネットワーキング（ＮＡＮ）ビーコンを生成するための手段と、
前記グループが前記第２のネットワーククラスタに移動した後に前記第２のネットワーククラスタの発見ウィンドウ（ＤＷ）中の送信のために前記ＮＡＮビーコンを出力するための手段と
をさらに備える、請求項４５に記載の装置。
【請求項５６】
前記ビーコンは、前記第２のネットワーククラスタ中のデバイスが前記第１のネットワーククラスタまたは前記第２のネットワーククラスタ中のアンカーマスタとして動作する等級を表すランクをさらに備え、前記決定は、前記ランクに基づく、
請求項４５に記載の装置。
【請求項５７】
前記決定は、少なくともしきい値回数前記ビーコンを検出することに基づく、
請求項４５に記載の装置。
【請求項５８】
前記決定は、前記第２のネットワーククラスタ中でのサービスの存在に基づき、
前記移動は、前記決定が前記サービスが存在するというものである場合に開始される、
請求項４５に記載の装置。
【請求項５９】
前記装置のプロパティ、前記グループの別のメンバーとの合意、前記第１のネットワーククラスタのプロパティ、または前記装置上で動作するアプリケーションのうちの少なくとも１つに基づいて送信のために前記フレームを出力する時間を決定するための手段と、
前記決定された時間まで送信のために前記フレームを出力することを遅延させるための手段と
をさらに備える、請求項４５に記載の装置。
【請求項６０】
送信のために前記フレームを出力した後に応答を取得するための手段と、
前記応答が前記移動の拒否を備える場合、前記第２のネットワーククラスタに移動すべきか、または前記第２のネットワーククラスタへの前記移動をキャンセルすべきかを決定するための手段と
をさらに備える、請求項４５に記載の装置。
【請求項６１】
ワイヤレス通信のための装置であって、
第１のネットワーククラスタから第２のネットワーククラスタへの、前記装置を含むデバイスのグループの移動を告知する第１のフレームを取得するための手段、ここにおいて、前記第１のフレームは、前記第２のネットワーククラスタに関連するクロックのタイミング情報を備える、と、
前記タイミング情報に基づいて、前記装置が前記移動の後に前記グループの１つまたは複数のメンバーとデータを通信するためのデータ通信ウィンドウ（ＤＣＷ）タイムラインを決定するための手段と、
前記ＤＣＷタイムラインに従って前記移動の後に前記グループの前記１つまたは複数のメンバーと通信するための手段と
を備える、装置。
【請求項６２】
前記移動を告知する第２のフレームを生成するための手段、前記第２のフレームは、前記第２のネットワーククラスタに関連する前記クロックの前記タイミング情報を備える、と、
送信のために前記第２のフレームを出力するための手段と
をさらに備える、請求項６１に記載の装置。
【請求項６３】
前記移動を告知する第２のフレームを生成するための手段、前記第２のフレームは、前記ＤＣＷタイムラインに関する情報を備える、と、
送信のために前記第２のフレームを出力するための手段と
をさらに備える、請求項６１に記載の装置。
【請求項６４】
前記ＤＣＷタイムラインを確認する前記第２のフレームに対する応答を取得するための手段と、
前記応答が取得された後に前記ＤＣＷタイムラインに従って前記グループの前記１つまたは複数のメンバーと通信するための手段と
をさらに備える、請求項６３に記載の装置。
【請求項６５】
前記移動より前に使用された別のＤＣＷタイムラインの、前記第１のネットワーククラスタに関連する発見ウィンドウ（ＤＷ）に対する第１のオフセットを決定するための手段と、
前記他のＤＣＷタイムラインと前記第２のネットワーククラスタに関連するＤＷに対する第２のオフセットとに基づいて前記ＤＣＷタイムラインを決定するための手段と
をさらに備える、請求項６１に記載の装置。
【請求項６６】
前記移動より前に使用された別のＤＣＷタイムラインは、ＤＣＷのシーケンスと第１のオフセット値とに基づき、
前記装置は、前記シーケンスと第２のオフセット値とに基づいて前記ＤＣＷタイムラインを決定するための手段をさらに備える、
請求項６１に記載の装置。
【請求項６７】
装置によるワイヤレス通信のための命令を記憶したコンピュータ可読媒体であって、前記命令は、
第１のネットワーククラスタに関連する第１のクロックに対する第１のオフセットを有する第１のデータ通信ウィンドウ（ＤＣＷ）タイムラインに従って、前記装置を含むグループの１つまたは複数のメンバーと通信することと、
第２のネットワーククラスタに関連するビーコンを検出すること、ここにおいて、前記ビーコンは、前記第２のネットワーククラスタに関連する第２のクロックのタイミング情報を備える、と、
前記第２のネットワーククラスタへの前記グループの移動を開始すべきかどうかを決定することと、
前記決定が前記移動を開始することである場合、前記第２のネットワーククラスタへの前記グループの前記移動を開始するためにフレームを生成すること、前記フレームは、前記第２のクロックの前記タイミング情報の第１のインジケーションを備える、と、
送信のために前記フレームを出力することと
を行う、コンピュータ可読媒体。
【請求項６８】
装置によるワイヤレス通信のための命令を記憶したコンピュータ可読媒体であって、前記命令は、
第１のネットワーククラスタから第２のネットワーククラスタへの、前記装置を含むデバイスのグループの移動を告知する第１のフレームを取得すること、ここにおいて、前記第１のフレームは、前記第２のネットワーククラスタに関連するクロックのタイミング情報を備える、と、
前記タイミング情報に基づいて、前記装置が前記移動の後に前記グループの１つまたは複数のメンバーとデータを通信するためのデータ通信ウィンドウ（ＤＣＷ）タイムラインを決定することと、
前記ＤＣＷタイムラインに従って前記移動の後に前記グループの前記１つまたは複数のメンバーと通信することと
を行う、コンピュータ可読媒体。
【請求項６９】
ワイヤレス局であって、
第１のネットワーククラスタに関連する第１のクロックに対する第１のオフセットを有する第１のデータ通信ウィンドウ（ＤＣＷ）タイムラインに従って、前記ワイヤレス局を含むグループの１つまたは複数のメンバーと通信することと、
第２のネットワーククラスタに関連するビーコンを検出すること、ここにおいて、前記ビーコンは、前記第２のネットワーククラスタに関連する第２のクロックのタイミング情報を備える、と、
前記第２のネットワーククラスタへの前記グループの移動を開始すべきかどうかを決定することと、
前記決定が前記移動を開始することである場合、前記第２のネットワーククラスタへの前記グループの前記移動を開始するためにフレームを生成すること、前記フレームは、前記第２のクロックの前記タイミング情報の第１のインジケーションを備える、と、
を行うように構成された処理システムと、
前記フレームを送信するように構成された送信機と
を備える、ワイヤレス局。
【請求項７０】
ワイヤレス局であって、
第１のネットワーククラスタから第２のネットワーククラスタへの、前記ワイヤレス局を含むデバイスのグループの移動を告知する第１のフレームを受信するように構成された受信機、ここにおいて、前記第１のフレームは、前記第２のネットワーククラスタに関連するクロックのタイミング情報を備える、と、
前記タイミング情報に基づいて、前記装置が前記移動の後に前記グループの１つまたは複数のメンバーとデータを通信するためのデータ通信ウィンドウ（ＤＣＷ）タイムラインを決定することと、
前記ＤＣＷタイムラインに従って前記移動の後に前記グループの前記１つまたは複数のメンバーと通信することと
を行うように構成された処理システムと
を備える、ワイヤレス局。
【発明の詳細な説明】
【関連出願の相互参照】
【０００１】
[0001]本出願は、両方とも本出願の譲受人に譲渡され、その全体が参照により本明細書に明確に組み込まれる、２０１５年９月２１日に出願された米国仮出願番号第６２／２２１，５９７号の優先権を主張する、２０１６年９月１５日に出願された米国特許出願番号第１５／２６６，７６８号の優先権を主張する。
【技術分野】
【０００２】
[0002]本開示のいくつかの態様は、一般にワイヤレス通信に関し、より詳細には、ネイバーアウェアネットワークにおけるデータリンクの時間同期に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]より大きいカバレージおよび増加された通信範囲に対する要望に対処するために、様々なスキームが開発されている。１つのそのようなスキームは、電気電子技術者協会（ＩＥＥＥ）８０２．１１ａｈタスクフォースによって開発されている（たとえば、米国では９０２〜９２８ＭＨｚ範囲内で動作する）サブ１ＧＨｚ（sub-1-GHz）周波数範囲である。この開発は、他のＩＥＥＥ８０２．１１技術の周波数範囲に関連するワイヤレス範囲よりも大きいワイヤレス範囲と、妨害による経路損失に関連する潜在的により少ない問題とを有する周波数範囲を利用したいという要望によって推進される。
【発明の概要】
【０００５】
[0005]本開示のシステム、方法、およびデバイスは、それぞれいくつかの態様を有し、それらの態様のうちの単一の態様が単独で本開示の望ましい属性を担うとは限らない。ここで、以下の特許請求の範囲によって表されるような本開示の範囲を限定することなく、いくつかの特徴が手短に論じられる。この説明を考察すれば、特に「発明を実施するための形態」と題するセクションを読めば、本開示の特徴が、ワイヤレスネットワークにおける改善された通信を含む利点をどのように提供するかが理解されよう。
【０００６】
[0006]本開示の態様は、一般にワイヤレス通信に関し、より詳細には、ネイバーアウェアネットワーク（ＮＡＮ：neighbor aware network）におけるデータリンクの時間同期に関する。
【０００７】
[0007]本開示の態様は、ワイヤレス通信のための装置を提供する。本装置は、概して、第１のネットワーククラスタに関連する第１のクロックに対する第１のオフセットを有する第１のデータ通信ウィンドウ（ＤＣＷ）タイムラインに従って、装置を含むグループの１つまたは複数のメンバーと通信することと、第２のネットワーククラスタのデバイスによって送信されたビーコンを検出することと、ここにおいて、ビーコンは、第２のネットワーククラスタに関連する第２のクロックのタイミング情報を備える、第２のネットワーククラスタへのグループの移動を開始すべきかどうかを決定することと、決定が移動を開始することである場合、第２のネットワーククラスタへのグループの移動を開始するためにフレームを生成することと、フレームは、第２のクロックのタイミング情報を備える、を行うように構成された処理システムと、送信のためにフレームを出力するように構成されたインターフェースとを含む。
【０００８】
[0008]本開示の態様は、装置によって実行されるワイヤレス通信のための方法を提供する。本方法は、概して、第１のネットワーククラスタに関連する第１のクロックに対する第１のオフセットを有する第１のデータ通信ウィンドウ（ＤＣＷ）タイムラインに従って、装置を含むグループのメンバーと通信することと、第２のネットワーククラスタのデバイスによって送信されたビーコンを検出することと、ここにおいて、ビーコンは、第２のネットワーククラスタに関連する第２のクロックのタイミング情報を備える、第２のネットワーククラスタへのグループの移動を開始すべきかどうかを決定することと、決定が移動を開始することである場合、第２のネットワーククラスタへのグループの移動を開始するためにフレームを生成することと、フレームは、第２のクロックのタイミング情報の第１のインジケーションを備える、フレームを送信することとを含む。
【０００９】
[0009]本開示の態様は、ワイヤレス通信のための装置を提供する。本装置は、概して、第１のネットワーククラスタに関連する第１のクロックに対する第１のオフセットを有する第１のデータ通信ウィンドウ（ＤＣＷ）タイムラインに従って、装置を含むグループのメンバーと通信するための手段と、第２のネットワーククラスタのデバイスによって送信されたビーコンを検出するための手段と、ここにおいて、ビーコンは、第２のネットワーククラスタに関連する第２のクロックのタイミング情報を備える、第２のネットワーククラスタへのグループの移動を開始すべきかどうかを決定するための手段と、決定が移動を開始することである場合、第２のネットワーククラスタへのグループの移動を開始するためにフレームを生成するための手段と、フレームは、第２のクロックのタイミング情報の第１のインジケーションを備える、フレームを送信するための手段とを含む。
【００１０】
[0010]本開示の態様は、コンピュータプログラム製品を提供する。本コンピュータプログラム製品は、概して、命令を記憶するコンピュータ可読媒体を概して含み、命令は、処理システムによって実行されたとき、装置に、第１のネットワーククラスタに関連する第１のクロックに対する第１のオフセットを有する第１のデータ通信ウィンドウ（ＤＣＷ）タイムラインに従ってグループのメンバーと通信することと、第２のネットワーククラスタのデバイスによって送信されたビーコンを検出することと、ここにおいて、ビーコンは、第２のネットワーククラスタに関連する第２のクロックのタイミング情報を備える、第２のネットワーククラスタへのグループの移動を開始すべきかどうかを決定することと、決定が移動を開始することである場合、第２のネットワーククラスタへのグループの移動を開始するためにフレームを生成することと、フレームは、第２のクロックのタイミング情報の第１のインジケーションを備える、フレームを送信することとを行わせる。
【００１１】
[0011]本開示の態様は局を提供する。本局は、概して、少なくとも１つのアンテナと、トランシーバと、トランシーバと少なくとも１つのアンテナとを介して、第１のネットワーククラスタに関連する第１のクロックに対する第１のオフセットを有する第１のデータ通信ウィンドウ（ＤＣＷ）タイムラインに従って、局を含むグループのメンバーと通信することと、トランシーバと少なくとも１つのアンテナとを介して、第２のネットワーククラスタに関連するビーコンを検出することと、ここにおいて、ビーコンは、第２のネットワーククラスタに関連する第２のクロックのタイミング情報を備える、第２のネットワーククラスタへのグループの移動を開始すべきかどうかを決定することと、決定が移動を開始することである場合、第２のネットワーククラスタへのグループの移動を開始するためにフレームを生成することと、フレームは、第２のクロックのタイミング情報の第１のインジケーションを備える、トランシーバと少なくとも１つのアンテナとを介してフレームを送信することとを行うように構成された処理システムとを含む。
【００１２】
[0012]本開示の態様は、ワイヤレス通信のための装置を提供する。本装置は、概して、第１のネットワーククラスタから第２のネットワーククラスタへの、メンバーとして装置を含むデバイスのグループの移動を告知する第１のフレームを取得するように構成された受信インターフェースと、ここにおいて、第１のフレームは、第２のネットワーククラスタに関連するクロックのタイミング情報を備える、タイミング情報に基づいて、装置が移動の後にグループの１つまたは複数のメンバーとデータを通信するためのデータ通信ウィンドウ（ＤＣＷ）タイムラインを決定することと、ＤＣＷタイムラインに従って移動の後にグループの１つまたは複数のメンバーと通信することとを行うように構成された処理システムとを含む。
【００１３】
[0013]本開示の態様は、装置によって実行されるワイヤレス通信のための方法を提供する。本方法は、概して、第１のネットワーククラスタから第２のネットワーククラスタへの、メンバーとして装置を含むデバイスのグループの移動を告知する第１のフレームを取得することと、ここにおいて、第１のフレームは、第２のネットワーククラスタに関連するクロックのタイミング情報を備える、タイミング情報に基づいて、装置が移動の後にグループの１つまたは複数のメンバーとデータを通信するためのデータ通信ウィンドウ（ＤＣＷ）タイムラインを決定することと、ＤＣＷタイムラインに従って移動の後にグループの１つまたは複数のメンバーと通信することとを含む。
【００１４】
[0014]本開示の態様は、ワイヤレス通信のための装置を提供する。本装置は、概して、第１のネットワーククラスタから第２のネットワーククラスタへの、メンバーとして装置を含むデバイスのグループの移動を告知する第１のフレームを取得するための手段と、ここにおいて、第１のフレームは、第２のネットワーククラスタに関連するクロックのタイミング情報を備える、タイミング情報に基づいて、装置が移動の後にグループの１つまたは複数のメンバーとデータを通信するためのデータ通信ウィンドウ（ＤＣＷ）タイムラインを決定するための手段と、ＤＣＷタイムラインに従って移動の後にグループの１つまたは複数のメンバーと通信するための手段とを含む。
【００１５】
[0015]本開示の態様は、命令を記憶するコンピュータ可読媒体を提供し、本命令は、処理システムによって実行されたとき、装置に、第１のネットワーククラスタから第２のネットワーククラスタへの、メンバーとして装置を含むデバイスのグループの移動を告知する第１のフレームを取得することと、ここにおいて、第１のフレームは、第２のネットワーククラスタに関連するクロックのタイミング情報を備える、タイミング情報に基づいて、装置が移動の後にグループの１つまたは複数のメンバーとデータを通信するためのデータ通信ウィンドウ（ＤＣＷ）タイムラインを決定することと、ＤＣＷタイムラインに従って移動の後にグループの１つまたは複数のメンバーと通信することとを行わせる。
【００１６】
[0016]本開示の態様は局を提供する。本局は、概して、少なくとも１つのアンテナと、トランシーバと、トランシーバと少なくとも１つのアンテナとを介して、第１のネットワーククラスタから第２のネットワーククラスタへの、メンバーとして装置を含むデバイスのグループの移動を告知する第１のフレームを取得することと、ここにおいて、第１のフレームは、第２のネットワーククラスタに関連するクロックのタイミング情報を備える、タイミング情報に基づいて、装置が移動の後にグループの１つまたは複数のメンバーとデータを通信するためのデータ通信ウィンドウ（ＤＣＷ）タイムラインを決定することと、トランシーバと少なくとも１つのアンテナとを介して、ＤＣＷタイムラインに従って移動の後にグループの１つまたは複数のメンバーと通信することとを行うように構成された処理システムとを含む。
【００１７】
[0017]本開示の態様は、ワイヤレス通信のための装置を提供する。本装置は、概して、第１のネットワーククラスタから第２のネットワーククラスタへの、メンバーとして装置を含むデバイスのグループの移動を告知する第１のフレームを取得するように構成された受信インターフェースと、ここにおいて、第１のフレームは、第２のネットワーククラスタに関連するクロックのタイミング情報を備える、第１のネットワーククラスタにおいて利用可能なサービスまたはデータリンクの活動のうちの少なくとも１つに基づいて移動を拒否することを決定することと、装置が移動を拒否することを示す第２のフレームを生成することとを行うように構成された処理システムと、第１のデバイスへの送信のために第２のフレームを出力するように構成された送信インターフェースとを含む。
【００１８】
[0018]本開示の態様は、装置によって実行されるワイヤレス通信のための方法を提供する。本方法は、概して、第１のネットワーククラスタから第２のネットワーククラスタへの、メンバーとして装置を含むデバイスのグループの移動を告知する第１のフレームを取得することと、ここにおいて、第１のフレームは、第２のネットワーククラスタに関連するクロックのタイミング情報を備える、第１のネットワーククラスタにおいて利用可能なサービスまたはデータリンクの活動のうちの少なくとも１つに基づいて移動を拒否することを決定することと、装置が移動を拒否することを示す第２のフレームを生成することと、第１のデバイスに第２のフレームを送信することとを含む。
【００１９】
[0019]本開示の態様は、ワイヤレス通信のための装置を提供する。本装置は、概して、第１のネットワーククラスタから第２のネットワーククラスタへの、メンバーとして装置を含むデバイスのグループの移動を告知する第１のフレームを取得するための手段と、ここにおいて、第１のフレームは、第２のネットワーククラスタに関連するクロックのタイミング情報を備える、第１のネットワーククラスタにおいて利用可能なサービスまたはデータリンクの活動のうちの少なくとも１つに基づいて移動を拒否することを決定するための手段と、装置が移動を拒否することを示す第２のフレームを生成するための手段と、第１のデバイスに第２のフレームを送信するための手段とを含む。
【００２０】
[0020]本開示の態様は、命令を記憶するコンピュータ可読媒体を提供し、本命令は、処理システムによって実行されたとき、装置に、第１のネットワーククラスタから第２のネットワーククラスタへの、メンバーとして装置を含むデバイスのグループの移動を告知する第１のフレームを取得することと、ここにおいて、第１のフレームは、第２のネットワーククラスタに関連するクロックのタイミング情報を備える、第１のネットワーククラスタにおいて利用可能なサービスまたはデータリンクの活動のうちの少なくとも１つに基づいて移動を拒否することを決定することと、装置が移動を拒否することを示す第２のフレームを生成することと、第１のデバイスに第２のフレームを送信することとを行わせる。
【００２１】
[0021]本開示の態様は局を提供する。本局は、概して、少なくとも１つのアンテナと、トランシーバと、トランシーバと少なくとも１つのアンテナとを介して、第１のネットワーククラスタから第２のネットワーククラスタへの、メンバーとして装置を含むデバイスのグループの移動を告知する第１のフレームを取得することと、ここにおいて、第１のフレームは、第２のネットワーククラスタに関連するクロックのタイミング情報を備える、第１のネットワーククラスタにおいて利用可能なサービスまたはデータリンクの活動のうちの少なくとも１つに基づいて移動を拒否することを決定することと、装置が移動を拒否することを示す第２のフレームを生成することと、トランシーバと少なくとも１つのアンテナとを介して、ＤＣＷタイムラインに従って移動の後にグループの１つまたは複数のメンバーと通信することとを行うように構成された処理システムとを含む。
【００２２】
[0022]上記および関係する目的を達成するために、１つまたは複数の態様は、以下で十分に説明し、特に特許請求の範囲で指摘する特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００２３】
【図１】本開示のいくつかの態様による、例示的なワイヤレス通信ネットワークの図。
【図２】本開示のいくつかの態様による、例示的なアクセスポイントおよびユーザ端末のブロック図。
【図３】本開示のいくつかの態様による、例示的なワイヤレスデバイスのブロック図。
【図４】本開示のいくつかの態様による、例示的なＮＡＮクラスタを示す図。
【図５】本開示のいくつかの態様による、重複するＮＡＮクラスタをもつ例示的なＮＡＮネットワークを示す図。
【図６】本開示のいくつかの態様による、複数のＮＡＮデータリンク（ＮＤＬ）クラスタをもつ例示的なＮＡＮネットワークを示す図。
【図７】本開示のいくつかの態様による、ＮＡＮ発見ウィンドウ期間とＮＤＬ時間ブロックとの例示的なタイムラインを示す例示的な時間シーケンス図。
【図８】本開示の態様による、例示的なＮＡＮネットワークを示す図。
【図９】本開示のいくつかの態様による、装置によるワイヤレス通信のための例示的な動作のブロック図。
【図９Ａ】図９に示した動作を実行することが可能な例示的な手段を示す図。
【図１０】本開示のいくつかの態様による、装置によるワイヤレス通信のための例示的な動作のブロック図。
【図１０Ａ】図１０に示した動作を実行することが可能な例示的な手段を示す図。
【図１１】本開示のいくつかの態様による、装置によるワイヤレス通信のための例示的な動作のブロック図。
【図１１Ａ】図１１に示した動作を実行することが可能な例示的な手段を示す図。
【図１２】本開示の態様による、例示的な通信タイムラインのセットを示す図。
【図１３】本開示の態様による、例示的な通信タイムラインのセットを示す図。
【００２４】
[0039]理解を容易にするために、可能な場合、各図に共通である同じ要素を指定するために同じ参照番号が使用されている。一実施形態で開示される要素は、別段の記載なしに他の実施形態に関して有益に利用され得ることが企図される。
【発明を実施するための形態】
【００２５】
[0040]本開示の様々な態様について、添付の図面に関連して以下でより完全に説明する。ただし、本開示は、多くの異なる形態で実施され得、本開示全体にわたって提示される任意の特定の構造または機能に限定されるものと解釈されるべきではない。むしろ、これらの態様は、本開示が、完全で完璧となるように、および当業者に完全に本開示の範囲を伝えるように提供される。本明細書の教示に基づいて、当業者は、本開示の範囲が、本開示のその他の態様とは無関係に、または組み合わされて実施されるのかどうかにかかわらず、本明細書に開示される本開示のいかなる態様をもカバーすることが意図されていることを認識されたい。たとえば、本明細書に記載の態様をいくつ使用しても、装置は実装され得、または方法は実施され得る。加えて、本開示の範囲は、本明細書に述べられる本開示の様々な態様に加えて、またはその態様以外の他の構造、機能性、または構造および機能性を使用して実行される装置あるいは方法をカバーすることが意図されている。本明細書に開示される本開示のいかなる態様も請求項の１つまたは複数の要素によって具現化されてもよいことを理解されたい。
【００２６】
[0041]本開示の態様は、概して、ワイヤレス通信に関し、より詳細には、サブ１ＧＨｚ（Ｓ１Ｇ）帯域中のネイバーアウェアネットワーク（ＮＡＮ）のためのヌメロロジーおよびフレームに関する。本明細書でより詳細に説明するように、異なる持続時間のおよび異なる間隔における、異なるタイプの発見ウィンドウ（ＤＷ）が定義され得る。ＮＡＮデバイス（たとえば、ＮＡＮにおけるアクセスポイント（ＡＰ）または非ＡＰ局）が、時間同期情報および／またはサービス発見情報を送信するために１つまたは複数のタイプの発見ウィンドウ中に起動し得る。
【００２７】
[0042]「例示的」という単語は、本明細書では「例、事例、または例示の働きをすること」を意味するために使用される。「例示的」として本明細書で説明するいかなる態様も、必ずしも他の態様よりも好適または有利なものと解釈すべきではない。
【００２８】
[0043]特定の態様について本明細書で説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびその均等物によって定義される。
【００２９】
[0044]本明細書で説明する技法は、直交多重化スキームに基づく通信システムを含む、様々なブロードバンドワイヤレス通信システムのために使用され得る。そのような通信システムの例としては、空間分割多元接続（ＳＤＭＡ）システム、時分割多元接続（ＴＤＭＡ）システム、直交周波数分割多元接続（ＯＦＤＭＡ）システム、およびシングルキャリア周波数分割多元接続（ＳＣ−ＦＤＭＡ）システムがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアはデータで独立して変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００３０】
[0045]本明細書の教示は、様々なワイヤードまたはワイヤレス装置（たとえば、ノード）に組み込まれ得る（たとえば、その装置内に実装されるか、またはその装置によって実施され得る）。いくつかの態様では、本明細書の教示に従って実装されるワイヤレスノードは、アクセスポイントまたはアクセス端末を備え得る。
【００３１】
[0046]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００３２】
[0047]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＡＰとして働く「ＡＰ  ＳＴＡ」または「非ＡＰ  ＳＴＡ」など、「ＳＴＡ」）、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽またはビデオデバイス、あるいは衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ＡＴはワイヤレスノードであり得る。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を提供し得る。
例示的なワイヤレス通信システム
[0048]図１に、本開示の態様が実行され得るシステム１００を示す。たとえば、アクセスポイント１１０および／またはユーザ端末１２０を含むワイヤレス局のいずれかが、ネイバーアウェアネットワーク（ＮＡＮ）中にあり得る。ワイヤレス局は、第１の持続時間を有し、第１の間隔で発生する第１のタイプの発見ウィンドウ中に起動し、時間同期情報またはサービス情報を送り、および／またはモニタし得る。
【００３３】
[0049]ワイヤレス局は、時間同期情報および／またはサービス発見情報を送信するために１つまたは複数のタイプの発見ウィンドウ中に起動し得る。異なる持続時間のおよび異なる間隔で、異なるタイプの発見ウィンドウが定義され得る。
【００３４】
[0050]システム１００は、たとえば、アクセスポイントとユーザ端末とをもつ多元接続多入力多出力（ＭＩＭＯ）システム１００であり得る。簡単のために、ただ１つのアクセスポイント１１０が図１に示されている。アクセスポイントは、概して、ユーザ端末と通信する固定局であり、基地局または何らかの他の用語で呼ばれることもある。ユーザ端末は、固定または移動であり得、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。
【００３５】
[0051]システムコントローラ１３０は、これらのＡＰおよび／または他のシステムのために協調および制御を行い得る。ＡＰは、たとえば、無線周波数電力、チャネル、認証、およびセキュリティに対する調整を扱い得るシステムコントローラ１３０によって管理され得る。システムコントローラ１３０は、バックホールを介してＡＰと通信し得る。ＡＰはまた、たとえば、ワイヤレスバックホールまたはワイヤラインバックホールを介して直接または間接的に互いに通信し得る。
【００３６】
[0052]以下の開示の部分は、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、好都合なことに、より新しいＳＤＭＡユーザ端末が適切と見なされるときに導入されることを可能にしながら、より古いバージョンのユーザ端末（「レガシー」局）が企業において展開されたままであることを可能にし、それらの有効寿命を延長し得る。
【００３７】
[0053]システム１００は、ダウンリンクおよびアップリンク上でのデータ送信のために複数の送信アンテナと複数の受信アンテナとを採用する。アクセスポイント１１０は、Ｎap個のアンテナを装備し、ダウンリンク送信では多入力（ＭＩ）を表し、アップリンク送信では多出力（ＭＯ）を表す。Ｋ個の選択されたユーザ端末１２０のセットは、ダウンリンク送信では多出力をまとめて表し、アップリンク送信では多入力をまとめて表す。純粋なＳＤＭＡでは、Ｋ個のユーザ端末のためのデータシンボルストリームが、何らかの手段によって、コード、周波数または時間において多重化されない場合、Ｎap≧Ｋ≧１を有することが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、アクセスポイントにユーザ固有データを送信し、および／またはアクセスポイントからユーザ固有データを受信する。概して、各選択されたユーザ端末は、１つまたは複数のアンテナを装備し得る（すなわち、Ｎut≧１）。Ｋ個の選択されたユーザ端末は同じまたは異なる数のアンテナを有することができる。
【００３８】
[0054]システム１００は、時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。送信／受信を異なるタイムスロットに分割し、各タイムスロットを異なるユーザ端末１２０に割り当てることによってユーザ端末１２０が同じ周波数チャネルを共有する場合、システム１００はＴＤＭＡシステムでもあり得る。
【００３９】
[0055]図２に、ＡＰ１１０と、図１に示したＭＩＭＯシステム１００で動作するＵＴ１２０の例である２つのＵＴ１２０ｍおよび１２０ｘとの例示的な構成要素を示す。ＡＰ１１０とＵＴ１２０との１つまたは複数の構成要素は、本開示の態様を実施するために使用され得る。たとえば、アンテナ２２４、Ｔｘ／Ｒｘ２２２、プロセッサ２１０、２２０、２４０、２４２、および／またはコントローラ２３０、またはアンテナ２５２、Ｔｘ／Ｒｘ２５４、プロセッサ２６０、２７０、２８８、および２９０、および／またはコントローラ２８０は、本明細書で説明し、図１０および図１０を参照しながら示す動作を実行するために使用され得る。
【００４０】
[0056]アクセスポイント１１０はＮt個のアンテナ２２４ａ〜２２４ａｐを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時送信のために選択され、Ｎdn個のユーザ端末がダウンリンク上での同時送信のために選択され、ＮupはＮdnに等しいことも等しくないこともあり、ＮupおよびＮdnは、静的な値であるかまたはスケジュール間隔ごとに変化することができる。アクセスポイントおよびユーザ端末において、ビームステアリングまたは何らかの他の空間処理技法が使用され得る。
【００４１】
[0057]アップリンク上では、アップリンク送信のために選択された各ユーザ端末１２０において、送信（ＴＸ）データプロセッサ２８８は、データソース２８６からトラフィックデータを受信し、コントローラ２８０から制御データを受信する。コントローラ２８０はメモリ２８２と結合され得る。ＴＸデータプロセッサ２８８は、ユーザ端末のために選択されたレートに関連するコーディングおよび変調スキームに基づいてユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実施し、Ｎut,m個のアンテナにＮut,m個の送信シンボルストリームを提供する。各送信機ユニット（ＴＭＴＲ）２５４は、それぞれの送信シンボルストリームを受信し、処理（たとえば、アナログへの変換、増幅、フィルタ処理、および周波数アップコンバート）してアップリンク信号を生成する。Ｎut,m個の送信機ユニット２５４は、Ｎut,m個のアンテナ２５２からアクセスポイントへの送信のためのＮut,m個のアップリンク信号を提供する。
【００４２】
[0058]アップリンク上の同時送信のために、Ｎup個のユーザ端末がスケジュールされ得る。これらのユーザ端末の各々は、それのデータシンボルストリームに対して空間処理を実施し、アップリンク上で送信シンボルストリームのそれのセットをアクセスポイントに送信する。
【００４３】
[0059]アクセスポイント１１０において、Ｎap個のアンテナ２２４ａ〜２２４ａｐは、アップリンク上で送信しているすべてのＮup個のユーザ端末からアップリンク信号を受信する。各アンテナ２２４は、受信信号をそれぞれの受信機ユニット（ＲＣＶＲ）２２２に提供する。各受信機ユニット２２２は、送信機ユニット２５４によって実施された処理を補足する処理を実施し、受信シンボルストリームを提供する。ＲＸ空間プロセッサ２４０は、Ｎap個の受信機ユニット２２２からのＮap個の受信シンボルストリームに対して受信機空間処理を実施し、Ｎup個の復元アップリンクデータシンボルストリームを提供する。受信機空間処理は、チャネル相関行列反転（ＣＣＭＩ）、最小平均２乗誤差（ＭＭＳＥ）、ソフト干渉消去（ＳＩＣ）、または何らかの他の技法に従って実施される。各復元アップリンクデータシンボルストリームは、それぞれのユーザ端末によって送信されたデータシンボルストリームの推定値である。ＲＸデータプロセッサ２４２は、復号データを取得するために、各復元アップリンクデータシンボルストリームのために使用されたレートに応じてそのストリームを処理（たとえば、復調、デインターリーブ、および復号）する。各ユーザ端末のための復号データは、記憶のためにデータシンク２４４に与えられ、および／またはさらなる処理のためにコントローラ２３０に与えられ得る。コントローラ２３０はメモリ２３２と結合され得る。
【００４４】
[0060]ダウンリンク上では、アクセスポイント１１０において、ＴＸデータプロセッサ２１０は、ダウンリンク送信のためにスケジュールされたＮdn個のユーザ端末のためのデータソース２０８からトラフィックデータを受信し、コントローラ２３０から制御データを受信し、場合によってはスケジューラ２３４から他のデータを受信する。様々なタイプのデータが異なるトランスポートチャネル上で送られ得る。ＴＸデータプロセッサ２１０は、各ユーザ端末のために選択されたレートに基づいてそのユーザ端末のためのトラフィックデータを処理（たとえば、符号化、インターリーブ、および変調）する。ＴＸデータプロセッサ２１０は、Ｎdn個のダウンリンクデータシンボルストリームをＮdn個のユーザ端末に提供する。ＴＸ空間プロセッサ２２０は、Ｎdn個のダウンリンクデータシンボルストリームに対して（本開示で説明するプリコーディングまたはビームフォーミングなどの）空間処理を実施し、Ｎap個の送信シンボルストリームをＮap個のアンテナに提供する。各送信機ユニット２２２は、それぞれの送信シンボルストリームを受信し、処理してダウンリンク信号を生成する。Ｎap個のアンテナ２２４からユーザ端末への送信のためのＮap個のダウンリンク信号を提供している、Ｎap個の送信機ユニット２２２。各ユーザ端末のための復号データは、記憶のためにデータシンク２７２に与えられ、および／またはさらなる処理のためにコントローラ２８０に与えられ得る。
【００４５】
[0061]各ユーザ端末１２０において、Ｎut,m個のアンテナ２５２はアクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実施し、復元ダウンリンクデータシンボルストリームをユーザ端末に提供する。受信機空間処理は、ＣＣＭＩ、ＭＭＳＥまたは何らかの他の技法に従って実施される。ＲＸデータプロセッサ２７０は、ユーザ端末のための復号データを取得するために、復元ダウンリンクデータシンボルストリームを処理（たとえば、復調、デインターリーブおよび復号）する。
【００４６】
[0062]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、アクセスポイント１１０において、チャネル推定器２２８は、アップリンクチャネル応答を推定し、アップリンクチャネル推定値を与える。各ユーザ端末のためのコントローラ２８０は、典型的には、ユーザ端末のための空間フィルタ行列を、そのユーザ端末のためのダウンリンクチャネル応答行列Ｈdn,mに基づいて導出する。コントローラ２３０は、アクセスポイントのための空間フィルタ行列を、実効アップリンクチャネル応答行列Ｈup,effに基づいて導出する。各ユーザ端末のためのコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。
【００４７】
[0063]図３に、ＭＩＭＯシステム１００内で採用され得るワイヤレスデバイス３０２において利用され得る様々な構成要素を示す。ワイヤレスデバイス３０２は、本明細書で説明する様々な方法を実装するために構成され得るデバイスの一例である。たとえば、ワイヤレスデバイスは、図９および図１１に示す動作１０００および１１００を実装し得る。ワイヤレスデバイス３０２はアクセスポイント１１０またはユーザ端末１２０であり得る。
【００４８】
[0064]ワイヤレスデバイス３０２は、ワイヤレスデバイス３０２の動作を制御するプロセッサ３０４を含み得る。プロセッサ３０４は、中央処理装置（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。プロセッサ３０４は、一般に、メモリ３０６内に記憶されたプログラム命令に基づいて論理演算および算術演算を実行する。メモリ３０６中の命令は、本明細書で説明する方法を実装するように実行可能であり得る。
【００４９】
[0065]ワイヤレスデバイス３０２はまた、ワイヤレスデバイス３０２とリモートノードとの間のデータの送信および受信を可能にするために送信機３１０と受信機３１２とを含み得るハウジング３０８を含み得る。送信機３１０と受信機３１２とは組み合わされてトランシーバ３１４になり得る。単一または複数の送信アンテナ３１６は、筐体３０８に取り付けられ、送受信機３１４に電気的に結合され得る。ワイヤレスデバイス３０２はまた、複数の送信機と、複数の受信機と、複数の送受信機とを含み得る（図示せず）。
【００５０】
[0066]ワイヤレスデバイス３０２はまた、トランシーバ３１４によって受信された信号のレベルを検出し、定量化するために使用され得る信号検出器３１８を含み得る。信号検出器３１８は、そのような信号を、総エネルギー、シンボルごとのサブキャリア当たりのエネルギー、電力スペクトル密度および他の信号として検出し得る。ワイヤレスデバイス３０２は、信号を処理する際に使用するためのデジタル信号プロセッサ（ＤＳＰ）３２０をも含み得る。
【００５１】
[0067]ワイヤレスデバイス３０２の様々な構成要素は、データバスに加えて、電力バスと、制御信号バスと、ステータス信号バスとを含み得る、バスシステム３２２によって互いに結合され得る。
例示的なネイバーアウェアネットワーク
[0068]ロケーション対応（たとえば、ＧＰＳ対応）モバイルデバイスの人気の増加により、ネイバーアウェアネットワーク（ＮＡＮ）が出現しつつある。ＮＡＮは、互いに極めて近接して位置する局（ＳＴＡ）間の通信のためのネットワークを指すことがある。ネイバーアウェアネットワーク（ＮＡＮ）は、ＮＡＮ中の既存のデバイスまたは環境に入る新しいデバイス上で発見可能になっているサービスの発見を容易にするために、デバイスが収束する時間およびチャネルをデバイスが同期させるための機構を提供する。
【００５２】
[0069]ＮＡＮプロトコルをサポートし、ＮＡＮマスタまたはＮＡＮ非マスタであり得るＷｉＦｉ（登録商標）対応（すなわち、１つまたは複数のＩＥＥＥ８０２．１１規格に従って通信することが可能な）デバイスは、ＮＡＮデバイスと呼ばれることがある。
【００５３】
[0070]ＮＡＮ発見ウィンドウは、ＮＡＮデバイスがその上で収束する時間およびチャネルを指すことがある。すなわち、ＮＡＮ中のデバイスは、ＮＡＮ発見ウィンドウと呼ばれる、ＮＡＮに関する情報を交換（たとえば、送信、受信）するための時間リソースと周波数リソースとのセット上で収束し得る。同じ発見ウィンドウスケジュールに同期されるＮＡＮデバイスの集合は、ＮＡＮクラスタと呼ばれることがある。
【００５４】
[0071]図４に、本開示のいくつかの態様による、例示的なＮＡＮクラスタ４００を示す。同じＮＡＮクラスタの一部である（たとえば、ＡＰ１１０またはユーザ端末１２０などの）ＮＡＮデバイス４１０、４１２、４１４、４１６は、ＮＡＮマスタ選択プロシージャに参加する。ＮＡＮデバイスがＮＡＮクラスタの一部になるかまたはそれから出ることおよびそれらのＮＡＮデバイスのマスタランクなど、ＮＡＮクラスタの変更に応じて、異なる時間に異なるＮＡＮデバイスがＮＡＮクラスタのためのマスタの役割のＮＡＮデバイスになるように選択され得る。
【００５５】
[0072]ＮＡＮ  ＩＤは、ＮＡＮパラメータ（たとえば、発見チャネルはウィンドウ時間を発見）のセットを示すために使用され得る。ＮＡＮネットワークは、同じＮＡＮ  ＩＤを共有するＮＡＮクラスタの集合を指すことがある。
【００５６】
[0073]図５に、本開示のいくつかの態様による、重複するＮＡＮクラスタ５０２、５０４をもつ例示的なＮＡＮネットワーク５００を示す。図５には示されていないが、ＮＡＮデバイスは、２つ以上の重複するクラスタに参加し得る。同じく図示されていないが、ＮＡＮデバイスは、ワイヤレスローカルエリアネットワーク（ＷＬＡＮ）またはＷｉＦｉ  Ｄｉｒｅｃｔ（登録商標）など、他のタイプのＷｉＦｉネットワーク（たとえば、異なる外部ネットワーク接続をもつ独立したＬＡＮの一部としての異なる家庭または建築物中のＳＴＡ）とともにＮＡＮネットワークにおいてコンカレントに動作し得る。
【００５７】
[0074]ＮＡＮは、概して、デバイスの存在、ＮＡＮによって提供されるサービス、および同期情報を広告するために発見ウィンドウを利用する。発見ウィンドウ中に、相互発見の確率の高いＮＡＮのＮＡＮデバイスが利用可能である（たとえば、ＮＡＮデバイスは、送信をリッスンするために受信機構成要素を電源投入し、それら自体を利用可能にする）。中間期間中に、デバイスは、スリープ状態（たとえば、１つまたは複数の受信機構成要素が電源切断された状態の低電力モード）になるか、または他の活動、たとえば、他のネットワークおよび／または異なるチャネルと通信することに関与し得る。ＮＡＮクラスタを作成するＮＡＮデバイスは、以下で説明する、ＮＡＮクラスタの発見ウィンドウのための一連の発見ウィンドウ開始時間（ＤＷＳＴ：discovery window start time）を定義し得る。
【００５８】
[0075]同じＮＡＮクラスタに参加しているＮＡＮデバイスは、共通クロックに同期される。発見ウィンドウ中に、１つまたは複数のＮＡＮデバイスは、ＮＡＮクラスタ内のすべてのＮＡＮデバイスがそれらのクロックを同期させるのを助けるために、（ＮＡＮビーコンフレームおよびＮＡＮビーコンとも呼ばれる）ＮＡＮ同期ビーコンフレームを送信する。タイミング同期機能（ＴＳＦ：timing synchronization function）が、同じＮＡＮクラスタ中のすべてのＮＡＮデバイスのタイマーを同期された状態に保つ。ＮＡＮクラスタ中のＴＳＦは、分散アルゴリズムを介して実装され得、ＮＡＮビーコンフレームは、説明したアルゴリズムに従って（たとえば、クラスタ中の１つまたは複数のＮＡＮデバイスによって）送信され得る。相対開始点または「時間０」が、第１のＤＷＳＴとして定義され得る。いくつかの態様によれば、ＮＡＮ中のすべてのデバイスは、たとえば、ＴＳＦの値の下位２３ビットが０である発見ウィンドウとして定義され得る第１の発見ウィンドウ（ＤＷ０）において起動し得る。後続の発見ウィンドウ中に、いくつかのＮＡＮデバイスは、アウェイクである（たとえば、省電力モードにある場合は起動する）こと、またはアウェイクでない（たとえば、省電力モードに入るかまたは省電力モードのままである）ことを選定し得る。同期は、通常ならば発生するであろうデバイスの発見レイテンシ、デバイスによる電力消費量、およびデバイスによる媒体占有を減少させ得る。
【００５９】
[0076]ＮＡＮ同期プロシージャは、サービス発見メッセージングとは別個である。ＮＡＮデバイスは、発見ウィンドウ中でせいぜい１つの同期ビーコンを送信するが、複数のＮＡＮサービス発見フレームが、発見ウィンドウ中でＮＡＮデバイスによって送信され得る。ＮＡＮサービス発見フレームは、サービスを他のＮＡＮデバイスによって発見可能にし、場合によっては、ＮＡＮデバイスが、他のＮＡＮデバイスからのサービスを探すことを可能にする。
【００６０】
[0077]ＮＡＮ内の各デバイスは、アンカーマスタランクを有し得る。アンカーマスタランクは、たとえば、デバイスに関連するクロックの相対的な精度を示し得る。ＮＡＮ内のデバイスは、最高のアンカーマスタランクを有するＮＡＮ中のデバイス（たとえば、最も正確なクロックを有するものとして示されたデバイス）とクロックを同期させ得る。
【００６１】
[0078]場合によっては、図６に示すように、ＮＡＮデータリンク（ＮＤＬ）クラスタ６０２、６０４は、少なくとも１つのＮＡＮクラスタ６１０、６１２のメンバーである複数のデバイスから形成され得る。ＮＤＬクラスタは、ＮＤＬクラスタ６０２によって示されるように単一のＮＡＮクラスタのメンバーまたはＮＤＬクラスタ６０４によって示されるように複数のＮＡＮクラスタのメンバーを備え得る。ＮＤＬクラスタのメンバーは、ＮＤＬクラスタ内でデータ通信を実行し得るが、必ずしもメンバーが属するＮＡＮの他のメンバーとデータ通信を実行する必要があるとは限らない。ＮＤＬクラスタ内のデバイスは、ＮＡＮ発見ウィンドウの外部で、ＮＡＮ内の送信と同時にではなくＮＤＬクラスタ内で通信を実行し得る。
【００６２】
[0079]図７に、ＮＡＮクラスタとＮＤＬクラスタとの内の通信の例示的なタイムライン７００を示す。図示のように、ＮＡＮ発見チャネル７０２上で、ＤＷＳＴ７０８は、５１２個の時間ユニット（ＴＵ）の間隔を有する（すなわち、発見ウィンドウの開始は、前の発見ウィンドウの開始の後の５１２個のＴＵである）。チャネルＡ７０４上に示した通信などの通信がＮＤＬクラスタ内で実行され得るＮＤＬ時間ブロック７０６は、ＤＷＳＴから時間的にオフセットされ得る。場合によっては、ＮＤＬ時間ブロック時間は、発見ウィンドウタイムラインに対して固定オフセットに設定され得る。すなわち、各ＮＤＬ時間ブロック時間は、対応するＤＷＳＴからの固定オフセットを開始し得る。ＮＤＬ時間ブロック時間は、ＮＤＬベースのスケジュールに従って発生し得る。ＮＤＬクラスタ内のデバイスは、ＮＤＬクラスタ内の他のデバイスからＮＤＬベースのスケジュールに関する情報を受信し得、他のデバイスとＮＤＬベースのスケジュールをネゴシエートし得る。
【００６３】
[0080]ＮＡＮデータリンク（ＮＤＬ）クラスタが初期化されると、ＮＤＬタイムラインは、開始クラスタ（たとえば、開始ＮＡＮクラスタ）の発見ウィンドウタイムラインに基づいて決定され得る。ＮＤＬクラスタが初期化されると、ＮＤＬクラスタは、発見ウィンドウタイムラインとは無関係であるタイムラインを維持し得る。ＮＤＬタイムラインは、開始ＮＡＮクラスタが変更してもシフトしないことがある。ＮＤＬクラスタ中のすべてのデバイスが同じＮＡＮクラスタのメンバーである場合、ＮＤＬクロックは、ＮＡＮクロックと同期され得る。
【００６４】
[0081]動的環境では、ＮＤＬクラスタのメンバーが関連付けられるＮＡＮクラスタの変更は、次に、ＮＡＮクラスタの発見ウィンドウタイムライン中でシフトを生じ得る。たとえば、ＮＤＬ時間ブロック時間が、上述のようにＤＷＳＴからの固定オフセットとして設定される場合、クラスタタイミングの変更が、ＮＤＬクラスタ中の異なるデバイスに異なるＮＤＬ時間ブロック時間を計算させるので、ＮＤＬは失敗することがある。ＮＤＬクラスタ中のデバイスが異なるＮＤＬ時間ブロック時間を計算し得るので、ＮＤＬ中でのデータ送信がずれ、ＮＤＬクラスタ中のいくつかのデバイス間でデータ通信の失敗を生じ得る。したがって、ＮＤＬクラスタ内でタイミングを同期させるための技法が望ましいことがある。  
ネイバーアウェアネットワークデータリンクのための例示的なネイバーアウェアネットワーククラスタ変更
【００６５】
[0082]本開示のいくつかの態様によれば、ＮＡＮデータリンク（ＮＤＬ）クラスタの場合、ＮＤＬタイムラインは、開始ＮＡＮクラスタの発見ウィンドウタイムラインに基づいて決定され得る。すなわち、ＮＡＮクラスタ中のデバイスは、ＮＡＮクラスタの発見ウィンドウタイムラインに基づいてＮＤＬタイムラインを用いてＮＤＬクラスタを形成し得る。上記で説明したように、ＮＤＬのメンバーであるデバイスが、別のＮＡＮクラスタを検出し、他のＮＡＮクラスタに加わることを決定すると、他のＮＡＮクラスタに加わっているデバイスによって生じるクラスタタイミングの変更により、ＮＤＬは失敗することがある。デバイスは、他のクラスタのアンカーマスタのアンカーマスタランク、何回およびどのくらいの頻度でデバイスが他のクラスタを検出したのか、ならびに／または他のクラスタ中で提供されるサービスに基づいて他のＮＡＮクラスタに加わることを決定し得る。
【００６６】
[0083]ＮＤＬのメンバーであり、新しいＮＡＮクラスタに加わることを決定するデバイスは、２つのデバイスが新しいＮＡＮクラスタに移動し得る（たとえば、新しいＮＡＮクラスタの時間同期機能（ＴＳＦ）などのタイミング情報に基づく新しいタイムラインにＮＤＬを移植し得る）ように、ＮＤＬの別のメンバー（たとえば、別のデバイス）に新しいＮＡＮクラスタに関する情報を通信し得る。２つのデバイスは、新しいタイムラインに移動した後にＮＤＬを介して通信し続け得る。
【００６７】
[0084]図８に、本開示の態様が実施され得る例示的なＮＡＮネットワーク８００を示す。ＮＡＮ１およびＮＡＮ２と呼ばれる２つのＮＡＮクラスタ８０２、８３０がある。例示的なＮＡＮネットワークでは、ＮＡＮクラスタ８０２は、最初に、円で表されるノードを含み、一方、ＮＡＮクラスタ８３０は、最初に、四角で表されるノードを含む。ノード（たとえば、局）８０８、８１２、８１４、および８１６は、ＮＡＮクラスタ８０２（ＮＡＮ１）内にＮＡＮデータリンククラスタ８０４を形成している。４つのノードをもつＮＡＮデータリンククラスタが示されているが、本開示の態様は、より多いまたはより少ないノードをもつＮＡＮデータリンククラスタ中で実施され得る。図示のように、ＮＡＮクラスタ８０２は、８０８、８１２、８１４、および８１６をもつＮＡＮデータリンククラスタ８０４のメンバーでないアンカーマスタノード８０６を有する。また、図示のように、ＮＡＮクラスタ８０２はまた、いくつかの他のノードの数を有し得るが、本開示の態様は、他のノードなしに実施され得る。第２のＮＡＮクラスタ８３０は、アンカーマスタノード８３２を有する。
【００６８】
[0085]本開示の態様によれば、第１のノード、たとえば、ノード８１２は、第１のＮＡＮクラスタ（たとえば、ＮＡＮ１  ８０２）のメンバーであり得、ＮＡＮデータリンククラスタ（ＮＤＣ）、たとえば、ＮＤＣ８０４を形成する他のノード（たとえば、ノード８０８、８１４、８１６）をもつ１つまたは複数のＮＤＬを有し得る。第１のノードは、第２のＮＡＮクラスタ（たとえば、ＮＡＮ８３０）からアンカービーコンを検出し得る。第１のノードは、第２のＮＡＮクラスタのアンカーマスタのアンカーマスタランク、何回およびどのくらいの頻度でデバイスが第２のＮＡＮクラスタを検出したのか、ならびに／または第２のＮＡＮクラスタ中で提供されるサービスに基づいて第２のＮＡＮクラスタに加わることを決定し得る。たとえば、アンカーマスタノード８３２のアンカーマスタランクがアンカーマスタノード８０６のアンカーマスタランクよりも高い場合、ノード８１２は、第２のＮＡＮクラスタに加わることを決定し得る。第２の例では、ノード８１２は、初めてのアンカービーコン８３４を検出し、第２のＮＡＮクラスタが通過するＮＡＮクラスタであり得るので、第２のＮＡＮクラスタに加わらないことを決定し得る。第２の例を続けると、ノード８１２は、後で、アンカーマスタノード８３２からの第２のアンカービーコンを検出し、第２のＮＡＮクラスタが通り過ぎているように見えないので、第２のＮＡＮクラスタに加わることを決定し得る。第３の例では、ノード８１２は、アンカービーコン８３４を検出し、所望のサービス（たとえば、ゲームサービス）が第２のＮＡＮクラスタ中で提供されると決定し、所望のサービスが第２のＮＡＮクラスタ中で提供されるので、第２のＮＡＮクラスタに加わることを決定し得る。
【００６９】
[0086]第２のＮＡＮクラスタに加わることを決定すると、第１のノードは、ＮＡＮデータリンククラスタのＮＡＮデータリンクベーススケジュール中でビーコンまたはクラスタ遷移メッセージ８１０を送信し、１つまたは複数の他のノード、たとえば、第１のノード（たとえば、ノード８０８、８１４、８１６）をもつＮＡＮデータリンククラスタ中にあるノードに第２のＮＡＮクラスタを告知し得る。第１のノードは、ビーコンまたはクラスタ遷移メッセージを受信する他のノードと、第２のＮＡＮクラスタのタイミング情報（たとえば、ＴＳＦ）に基づいて新しいタイムラインにＮＤＬを移植するためにノードの各ペア間でＮＤＬを遷移すべき時間をネゴシエートし得る。別のＮＡＮクラスタを告知するビーコンまたはクラスタ遷移メッセージを受信するノード（たとえば、ノード８０８）はまた、他のノードに他のＮＡＮクラスタを告知するメッセージを送信し、メッセージを送信したノードと各受信ノードとの間で各ＮＤＬを遷移するために１回または複数回ネゴシエートし得る。たとえば、図８を参照すると、ノード８１２が、ＮＡＮ８３０のアンカーマスタ８３２からのアンカービーコン８３４を検出するとき、ノード８１２は、ＮＡＮ８０２のメンバーである。本例では、ノード８１２は、ＮＡＮ８３０に遷移することを決定し、ＮＤＣ８０４のＮＡＮデータリンクベーススケジュール中でクラスタ遷移メッセージまたはビーコン８１０を送り、ノード８１２がＮＡＮ８３０に遷移することになることを告知する。さらに、本例では、ノード８１２とノード８１４とは、ＮＡＮ８３０からのタイミング情報を使用するためにノード８１２とノード８１４との間でＮＤＬ８２２を遷移する時間をネゴシエートする。また、本例では、ノード８０８は、ＮＡＮ８３０にノード８１２の遷移を告知するメッセージを受信し、ノード８０８は、１つまたは複数のメッセージ８２０を介して、ＮＡＮ８３０からのタイミング情報を使用するためにノード８０８とノード８１６との間でＮＤＬ８２４を遷移する時間を決定するためにノード８１６とネゴシエートする。
【００７０】
[0087]図９に、本開示の態様による、上記で説明した、第１のネットワーククラスタから第２のネットワーククラスタに移動するときにＮＤＬを更新するために装置（たとえば、局）によって実行され得る例示的な動作９００を示す。
【００７１】
[0088]動作９００は、９０２において開始し、ここで、装置は、第１のネットワーククラスタに関連する第１のクロックに対する第１のオフセットを有する第１のデータ通信ウィンドウ（ＤＣＷ）タイムライン（たとえば、ＮＡＮデータリンクベーススケジュール）に従って、装置を含むグループの１つまたは複数のメンバーと通信する。たとえば、図８を参照すると、ノード８１２中に含まれる装置は、ＮＡＮデータリンククラスタ８０４のＮＡＮデータリンクベーススケジュールに従ってノード８１４と通信する。
【００７２】
[0089]９０４において、装置は、第２のネットワーククラスタに関連するビーコンを検出すること、ここにおいて、ビーコンは、第２のネットワーククラスタに関連する第２のクロックのタイミング情報を備える、を行う。上記の例を続けると、ノード８１２中に含まれる装置は、ノード８３２によって送信され、ＮＡＮクラスタ８３０のタイミング情報を有するアンカービーコン８３４を検出する。
【００７３】
[0090]９０６において、装置は、第２のネットワーククラスタへのグループの移動を開始すべきかどうかを決定する。上記の例を続けると、ノード８１２中に含まれる装置は、ＮＡＮクラスタ８３０へのＮＡＮデータリンククラスタ８０４の移動を開始することを決定する。
【００７４】
[0091]９０８において、装置は、決定が移動を開始することである場合、第２のネットワーククラスタへのグループの移動を開始するためにフレームを生成すること、フレームは、第２のクロックのタイミング情報の第１のインジケーションを備える、を行う。上記の例を続けると、ノード８１２中に含まれる装置は、ＮＡＮクラスタ８３０のタイミング情報のインジケーションを有するビーコンまたはクラスタ遷移メッセージ８１０を含むフレームを生成する。
【００７５】
[0092]９１０において、装置は、送信のためにフレームを出力する。上記の例を続けると、ノード８１２中に含まれる装置は、送信のために、ビーコンまたはクラスタ遷移メッセージ８１０を含むフレームを出力する。
【００７６】
[0093]本開示の態様によれば、第１のＮＡＮクラスタのメンバーであり、ＮＡＮデータリンククラスタに参加する局（たとえば、デバイス、ノード）は、第２のＮＡＮクラスタを発見し得る。局は、たとえば、第２のＮＡＮクラスタのアンカーマスタによって送信されたアンカービーコンを受信することによって第２のＮＡＮクラスタを発見し得る。そのような局は、ＮＤＬクラスタのＮＤＬベーススケジュール中に（たとえば、ＤＣＷタイムラインの１つまたは複数のＤＣＷ中に）第２のクラスタに関する情報をもつビーコンまたはクラスタ遷移メッセージを送信し得る。局がビーコンまたはクラスタ遷移メッセージ中に含める情報は、第２のクラスタのＴＳＦと、第２のクラスタのアンカーマスタランク（ＡＭＲ）と、局が第２のクラスタに基づくスケジュールに移動している（たとえば、遷移している）時間とを含む。アンカーマスタランクは、第２のクラスタのアンカーマスタとして動作するデバイスの、アンカーマスタとして動作する等級を表し得る。本明細書で使用する等級という用語は、概して、たとえば、限定はしないが、デバイスが、アンカーマスタとして動作することを含むいくつかのサービスを提供することを可能にする証明書またはランクを指すことがある。別のデバイスとのＮＤＬに参加している第２のＮＡＮクラスタに移動する局は、ビーコンまたはクラスタ遷移メッセージに応答して他のデバイスから新しいＮＤＬスケジュール（たとえば、データ通信ウィンドウタイムライン）の確認を受信し得る。
【００７７】
[0094]本開示の態様によれば、第１のＮＡＮクラスタのメンバーであり、ＮＡＮデータリンククラスタに参加し、第２のＮＡＮクラスタを発見する局は、第２のＮＡＮクラスタのアンカーマスタのアンカーマスタランクに基づいてＮＡＮデータリンククラスタの移動を開始することを決定し得る。たとえば、図８を参照すると、ノード８１２は、アンカーマスタノード８３２のアンカーマスタランクがアンカーマスタノード８０６のアンカーマスタランクよりも高い場合に第２のＮＡＮクラスタ８３０に加わることを決定し得る。
【００７８】
[0095]本開示の態様によれば、第１のＮＡＮクラスタのメンバーであり、ＮＡＮデータリンククラスタに参加し、第２のＮＡＮクラスタを発見する局は、何回およびどのくらいの頻度で局が第２のＮＡＮクラスタを検出したのかに基づいてＮＡＮデータリンククラスタの移動を開始することを決定し得る。局は、（たとえば、ワイヤレス通信規格に基づいて）局が通り過ぎているクラスタへの移動を開始するのを防止するために第２のＮＡＮクラスタへのＮＡＮデータリンククラスタの移動を開始する前に局が第２のＮＡＮクラスタからビーコンを検出すべきしきい値回数を決定し得る。たとえば、図８を参照すると、ノード８１２は、第２のネットワーククラスタに移動するのを開始する前に第２のネットワーククラスタを２回検出するしきい値を決定し得る（たとえば、ノードは、第２のネットワーククラスタからのビーコンを２回検出しなければならない）。本例では、ノード８１２は、初めてのアンカービーコン８３４を検出し、ノードが第２のネットワーククラスタをしきい値回数検出していないので、第２のＮＡＮクラスタ８３０に加わらないことを決定し得る。本例を続けると、ノード８１２は、後で、アンカーマスタノード８３２からの第２のアンカービーコンを検出し、ノードが第２のネットワーククラスタをしきい値回数検出したので、第２のＮＡＮクラスタに加わることを決定し得る。
【００７９】
[0096]本開示の態様によれば、第１のＮＡＮクラスタのメンバーであり、ＮＡＮデータリンククラスタに参加し、第２のＮＡＮクラスタを発見する局は、第２のＮＡＮクラスタ中で提供されるサービスに基づいてＮＡＮデータリンククラスタの移動を開始することを決定し得る。たとえば、図８を参照すると、ノード８１２は、アンカービーコン８３４を検出し、所望のサービス（たとえば、ゲームサービス）が第２のＮＡＮクラスタ中で提供されると決定し、所望のサービスが第２のＮＡＮクラスタ中で提供されるので、第２のＮＡＮクラスタに加わることを決定し得る。
【００８０】
[0097]本開示の態様によれば、第１のＮＡＮクラスタから第２のＮＡＮクラスタに移動する局は、他のデバイス（たとえば、局をもつＮＤＬに参加しているデバイス）がどれくらい迅速に新しいＮＤＬタイムライン（たとえば、データ通信ウィンドウタイムライン）に遷移することが可能であるのかについての推定値に基づいて移動のための時間を計算し得る。
【００８１】
[0098]本開示の態様によれば、第１のＮＤＬに参加している第１のＮＡＮクラスタ中の局は、第１のＮＡＮクラスタに関連する発見ウィンドウに対する第１のオフセットから始まるＤＣＷのシーケンス（たとえば、基本シーケンス）に基づいて第１のＮＤＬスケジュール（たとえば、ＤＣＷタイムライン）を使用し得る。オフセットは、ＴＵまたはスロットの数として決定され得る。局は、第２のＮＡＮクラスタに移動することを決定し得、第２のＮＡＮクラスタに移動した後にＮＤＬにおいて使用されるべき第２のＮＤＬスケジュールを決定し得る。そのような局は、第２のＮＡＮクラスタに関連する発見ウィンドウに対する第１のオフセットから始まるＤＣＷの同じ（ベース）シーケンスに基づく第２のＮＤＬスケジュールを使用することを決定し得る。
【００８２】
[0099]本開示の態様によれば、ＮＤＬに参加し、第１のＮＡＮクラスタから第２のＮＡＮクラスタに移動する局は、第２のＮＡＮクラスタへのＮＤＬクラスタの移動を開始するビーコンまたはクラスタ遷移メッセージ中にＮＤＬクラスタが第２のＮＡＮクラスタに遷移するための時間を含め得る。
【００８３】
[0100]本開示の態様によれば、第１のＮＡＮクラスタから第２のＮＡＮクラスタへの移動を開始するビーコンまたはクラスタ遷移メッセージ中に含まれるタイミング情報は、第２のＮＡＮクラスタのタイミング同期機能（ＴＳＦ）値を含み得る。本開示のいくつかの態様によれば、第１のＮＡＮクラスタから第２のＮＡＮクラスタへの移動を開始するビーコンまたはクラスタ遷移メッセージ中に含まれるタイミング情報は、第１のＮＡＮクラスタのＴＳＦに対する第２のＮＡＮクラスタのＴＳＦのオフセットを含み得る。局が、第２のＮＡＮクラスタへの移動を開始するビーコンまたはクラスタ遷移メッセージ中で第１のＮＡＮクラスタのＴＳＦに対する第２のＮＡＮクラスタのＴＳＦのオフセットを示すとき、ビーコンまたはクラスタ遷移メッセージを受信するデバイスは、デバイスのクロックとともに第２のＮＡＮクラスタのＴＳＦのオフセットを使用し得、これは、第２のＮＡＮクラスタのＴＳＦを決定するために第１のＮＡＮクラスタのクロックと同期される。
【００８４】
[0101]本開示の態様によれば、第１のＮＡＮクラスタから第２のＮＡＮクラスタへの移動を開始するＮＤＬに参加している局は、第２のＮＡＮクラスタの発見ウィンドウ（ＤＷ）中でＮＡＮビーコンを送信し得る。他の局は、第２のネットワーククラスタのマスタデバイスによって送信されたビーコンを（たとえば、チャネル状態により）受信することができないことがあるので、ＮＡＮビーコンを送信することによって、デバイスは、ＮＤＬ中の他の局が第２のＮＡＮクラスタのビーコンを受信することを可能にし得る。
【００８５】
[0102]本開示の態様によれば、第１のＮＡＮクラスタから第２のＮＡＮクラスタへの移動を開始するＮＤＬに参加している局は、移動を告知するビーコンまたはクラスタ遷移メッセージが送信され得る時間を決定し、決定された時間のうちの１つまでビーコンまたはクラスタ遷移メッセージの送信を遅延させ得る。局は、ＮＤＬのプロパティ、局のプロパティ、ＮＤＬのネゴシエーション中に達した別の局との合意、第１のＮＡＮクラスタのプロパティ、または局上で動作するアプリケーションによって供給される値のうちの１つまたは複数に基づいて時間を決定し得る。
【００８６】
[0103]図１０に、本開示の態様による、ネットワークデータリンククラスタに参加している装置（たとえば、局）によって実行され得る例示的な動作１０００を示す。動作１０００は、別の装置をもつＮＤＬに参加しており、他の装置が第１のネットワーククラスタから第２のネットワーククラスタへの移動を開始していることを示す情報を受信する装置（たとえば、ＳＴＡ）によってそれらが実行され得るという点で、図９に示した動作９００を補足すると見なされ得る。
【００８７】
[0104]動作１０００は、１００２において開始し、ここで、装置は、第１のネットワーククラスタから第２のネットワーククラスタへの、メンバーとして装置を含むデバイスのグループの移動を告知する第１のフレームを取得すること、ここにおいて、第１のフレームは、第２のネットワーククラスタに関連するクロックのタイミング情報を備える、を行う。たとえば、図８を参照すると、ノード８０８は、ＮＤＣ８０４がＮＡＮクラスタ８３０に移動すべきであることを告知し、ＮＡＮクラスタ８３０のアンカーマスタ８３２のクロックのタイミング情報を含むビーコンまたはクラスタ遷移メッセージを含むフレームを取得する。本例では、フレームは、図８に示すように、ノード８１２によって送信されていることがある。
【００８８】
[0105]１００４において、装置は、タイミング情報に基づいて、装置が移動の後にグループの１つまたは複数のメンバーとデータを通信するためのデータ通信ウィンドウ（ＤＣＷ）タイムラインを決定する。上記の例を続けると、ノード８０８は、ＮＤＬ８２４について、ＮＡＮクラスタ８３０のアンカーマスタ８３２のクロックのタイミング情報に基づいて、ＤＣＷタイムラインを決定する。
【００８９】
[0106]１００６において、装置は、ＤＣＷタイムラインに従って移動の後にグループの１つまたは複数のメンバーと通信する。上記の例を続けると、ノード８０８は、上記の１００４において決定されたＤＣＷタイムラインを使用してＮＤＬ８２４を介してノード８１６と通信する。
【００９０】
[0107]本開示の態様によれば、装置は、第２のネットワーククラスタに関連するタイミング情報を含む第２のフレームを生成し、送信し得る。装置はまた、移動を告知する第１のフレーム中に含まれたアンカーマスタランク（ＡＭＲ）値を取得し、第２のフレーム中にＡＭＲ値を含め得る。装置はまた、第２のフレーム中に装置が第２のネットワーククラスタに移動する（たとえば、遷移する）ことになる時間とＤＣＷタイムライン（たとえば、ＮＤＬスケジュール）に関する情報とを含め得る。
【００９１】
[0108]装置は、第２のフレームを受信したデバイスからＤＣＷタイムライン（たとえば、ＮＤＬスケジュール）を確認する第２のフレームに対する応答を取得し得る。すなわち、装置（たとえば、図８におけるノード８０８）は、第２のネットワーククラスタに移動するのを待ち（たとえば、装置は、移動することを遅延させ）、決定されたＤＣＷタイムラインを他のデバイスが使用することになるという確認を他のデバイス（たとえば、図８におけるノード８１６）から受信する後まで決定されたＤＣＷタイムラインを使用し始め得る。
【００９２】
[0109]本開示の態様によれば、第２のＮＡＮクラスタへの移動を告知するフレームを取得した第１のＮＡＮクラスタ中の第１のＮＤＬスケジュール（たとえば、ＤＣＷタイムライン）を用いるＮＤＬに参加している局は、第２のＮＡＮクラスタへの移動の後にＮＤＬクラスタの他のメンバーとデータを通信する際に使用するための第２のＮＤＬスケジュール（たとえば、ＤＣＷタイムライン）を決定し得る。第１のＮＤＬスケジュールは、第１のＮＡＮクラスタに関連する発見ウィンドウに対する第１のオフセットから始まるＤＣＷのシーケンスに基づき得る。本開示のいくつかの態様によれば、局は、第２のＮＡＮクラスタに移動することを決定し、第２のＮＡＮクラスタに移動した後にＮＤＬクラスタにおいて使用されるべき第２のＮＤＬスケジュールを決定し得る。そのような局は、第２のＮＡＮクラスタに関連する発見ウィンドウに対する第１のオフセットから始まるＤＣＷの同じベースシーケンスを備える第２のＮＤＬスケジュールを使用することを決定し得る。
【００９３】
[0110]追加または代替として、第１のネットワーククラスタから第２のネットワーククラスタへのＮＤＣの移動を告知するフレームを取得する第１のノード（たとえば、図８に示したノード８０８）は、第１のネットワーククラスタにおいて利用可能なサービスと１つまたは複数のＮＤＬの活動とに少なくとも基づいて移動を拒否すべきかどうかを決定し得る。たとえば、第１のノードは、第１のノードがＮＤＣの他のメンバーによって提供されるサービスへのアクセスを望むより、ＮＤＣのメンバーでない第１のネットワーククラスタのノード上で利用可能である１つまたは複数のサービスへのアクセスを第１のノードが望むと決定し得る。本例では、第１のノードは、次いで、移動を拒否することを決定し、第１のネットワーククラスタ中にとどまり、第１のノードが移動に参加しないことを示すメッセージを第２のノード（たとえば、移動を告知するノード）に送信し得る。第２の例では、第１のノードは、ＮＤＬが極めて高い活動性を有し（たとえば、ＮＤＬを介して大量のデータが送信されており）、ＮＤＬを第２のネットワーククラスタに移動するのを阻止すべきでないと決定し得る。第２の例を続けると、第１のノードは、次いで、移動を拒否することを決定し、第１のネットワーククラスタ中にとどまり、第１のノードが移動に参加しないことを示すメッセージを第２のノード（たとえば、移動を告知するノード）に送信し得る。
【００９４】
[0111]図１１に、本開示の態様による、ネットワークデータリンククラスタに参加している装置（たとえば、局）によって実行され得る例示的な動作１１００を示す。動作１１００は、別の装置をもつＮＤＬに参加しており、他の装置が第１のネットワーククラスタから第２のネットワーククラスタへの移動を開始していることを示す情報を受信する装置（たとえば、ＳＴＡ）によってそれらが実行され得るという点で、図９に示した動作９００を補足すると見なされ得る。
【００９５】
[0112]動作１１００は、１１０２において開始し、ここで、装置（たとえば、ノード、ＳＴＡ）は、第１のネットワーククラスタから第２のネットワーククラスタへの、メンバーとして装置を含むデバイスのグループの移動を告知する第１のフレームを第１のデバイスから取得すること、ここにおいて、第１のフレームは、第２のネットワーククラスタに関連するクロックのタイミング情報を備える、を行う。たとえば、図８を参照すると、ノード８０８は、ＮＤＣ８０４がＮＡＮクラスタ８３０に移動すべきであることを告知し、ＮＡＮクラスタ８３０のアンカーマスタ８３２のクロックのタイミング情報を含むビーコンまたはクラスタ遷移メッセージを含むフレームをノード８１２から取得する。
【００９６】
[0113]１１０４において、装置は、第１のネットワーククラスタにおいて利用可能なサービスまたはデータリンクの活動のうちの少なくとも１つに基づいて移動を拒否することを決定する。上記の例を続けると、ノード８０８は、ノード８０８がＮＤＣ８０４の他のメンバーによって提供される任意のサービスへのアクセスを望むより、ＮＤＣ８０４のメンバーでないＮＡＮクラスタ８０２中のノード（たとえば、ノード８０６）から利用可能なサービスへのアクセスをノード８０８が望むと決定する。
【００９７】
[0114]１１０６において、装置は、装置が移動を拒否することを示す第２のフレームを生成する。上記の例を続けると、ノード８０８は、ノード８０８がＮＡＮクラスタ８３０へのＮＤＣ８０４の移動を拒否することを示す第２のフレームを生成する。
【００９８】
[0115]１１０８において、装置は、第１のデバイスに第２のフレームを送信する。上記の例を続けると、ノード８０８は、ノード８１２に第２のフレームを送信する。
【００９９】
[0116]装置は、動作１０００と１１００との両方を実行するように構成（たとえば、プログラム）され得る。たとえば、装置は、ＮＤＣのメンバーであり得、第１のネットワーククラスタから第２のネットワーククラスタへのＮＤＣの移動を告知する第１のノードから第１のフレームを受信し得、ここにおいて、第１のフレームは、第２のネットワーククラスタに関連するクロックのタイミング情報を備える。本例では、装置は、第１のネットワーククラスタ中の第２のノードによって提供されるサービスへのアクセスを望み、第１のネットワーククラスタにおいて利用可能なサービスに基づいて、移動を拒否することを決定し得、装置が移動を拒否することを示す第２のフレームを第１のノードに送信し得る。例を続けると、装置は、後で、第１のクラスタから第３のネットワーククラスタへのＮＤＣの移動を告知する第３のフレームを第１のノードから受信し得、ここにおいて、第３のフレームは、第３のネットワーククラスタに関連するクロックのタイミング情報を備える。本例では、装置は、もはや第２のノードによって提供されたサービスへのアクセスを望まないことがあり、移動を拒否しないことを決定し得る。さらに、本例では、装置は、第３のネットワーククラスタのタイミング情報に基づいて、装置が移動の後にグループの１つまたはメンバーとデータを通信するＤＣＷタイムラインを決定し得る。本例では、装置は、ＤＣＷタイムラインに従って移動の後にグループの１つまたはメンバーと通信し得る。
【０１００】
[0117]第１のネットワーククラスタ中にあり、第１のネットワーククラスタから第２のネットワーククラスタへのネットワークデバイスのグループの移動を告知した第１のノードは、第２のノードが第２のネットワーククラスタへのグループの移動を拒否することを示すフレームをグループのメンバーである第２のノードから取得し得る。本開示の態様によれば、第１のノードは、次いで、第２のネットワーククラスタに移動し、場合によっては、グループを出るべきか、または第２のネットワーククラスタへの移動をキャンセルすべきかを決定し得る。たとえば、図８を参照すると、ノード８１２は、ＮＡＮクラスタ８３０へのＮＤＣ８０４の移動を告知し得る。ノード８１４は、ノード８１４がＮＡＮクラスタ８３０への移動を拒否することを示すフレームを送信し得る。フレームを取得すると、ノード８１２は、ＮＡＮクラスタ８３０に移動し、場合によっては、ＮＤＣ８０４を出る（場合によっては、ＮＤＬ８２２を遮断する）べきか、またはＮＡＮクラスタ８３０へのＮＤＣ８０４の移動をキャンセルすべきかを決定し得る。
【０１０１】
[0118]図１２に、本開示の態様による、第１のＮＡＮクラスタ（たとえば、図８に示したＮＡＮクラスタ８０２）、第２のＮＡＮクラスタ（たとえば、図８に示したＮＡＮクラスタ８３０）、およびＮＤＬクラスタ（たとえば、図８に示したＮＤＣ８０４）内の例示的な通信タイムライン１２１０、１２２０、１２３０、１２４０のセット１２００を示す。第１のＮＡＮクラスタは、１２１２に示すＮＡＮ発見ウィンドウと１２１４および１２１６に示すＮＡＮビーコンとをもつ例示的なタイムライン１２１０に従って動作するＮＡＮ発見チャネルを有する。第２のＮＡＮクラスタは、１２３２に示すＮＡＮ発見ウィンドウと１２３４および１２３６に示すＮＡＮビーコンとをもつ例示的なタイムライン１２３０に従って動作するＮＡＮ発見チャネルを有する。ＮＤＬクラスタは、例示的なタイムライン１２２０上に示したＮＤＬスケジュールに従ってチャネル上で動作する。ＮＤＬスケジュールは、２つのＤＣＷ１２２４、１２２６を備える。図示のように、ＤＣＷは、ＮＡＮ発見ウィンドウ１２１２の開始の後にＮＤＬオフセット１２２２を開始する。後で、ＮＤＬクラスタのメンバー（たとえば、図８に示したノード８１２）は、第２のＮＡＮクラスタからのビーコンを検出し、第２のＮＡＮクラスタに移動することを決定する。上記で説明したように、メンバーは、第２のＮＡＮクラスタに関連する発見ウィンドウ１２３２に対するオフセット１２４２においてＤＣＷ１２４４、１２４６の同じベースシーケンスをもつＮＤＬスケジュール１２４０を使用することを決定し得る。発見ウィンドウ１２３２に対するオフセット１２４２が、発見ウィンドウ１２１２に対するオフセット１２２２と同じ長さのものであることに留意されたい。
【０１０２】
[0119]本開示の態様によれば、第２のＮＡＮクラスタへの移動を開始した第１のＮＡＮクラスタ中の第１のＮＤＬスケジュールを用いるＮＤＬに参加している局は、第２のＮＡＮクラスタへの移動の後にＮＤＬクラスタの他のメンバーとデータを通信する際に使用するための第２のＮＤＬスケジュール（たとえば、ＤＣＷタイムライン）を決定し得る。第１のＮＤＬスケジュールは、第１のＮＡＮクラスタに関連する第１のクロックに対する第１のオフセットを有し得る。本開示のいくつかの態様によれば、局は、図１２に示すように、第２のＮＤＬスケジュールが第２のＮＡＮクラスタに関連する第２のクロックに対する第２のオフセットを有するように第２のＮＤＬスケジュールを決定し、第１のオフセットに等しく第２のオフセットを設定し得る。
【０１０３】
[0120]ＮＡＮデータリンク（ＮＤＬ）クラスタが初期化されると、ＮＤＬタイムラインは、開始クラスタ（たとえば、開始ＮＡＮクラスタ）の発見ウィンドウタイムラインに基づいて決定され得る。ＮＤＬクラスタが初期化されると、ＮＤＬクラスタは、発見ウィンドウタイムラインとは無関係であるタイムラインを維持し得る。本開示の態様によれば、ＮＤＬタイムラインは、開始ＮＡＮクラスタが変更してもシフトしないことがある。
【０１０４】
[0121]図１３に、本開示の態様による、第１のＮＡＮクラスタ（たとえば、図８に示したＮＡＮクラスタ８０２）、第２のＮＡＮクラスタ（たとえば、図８に示したＮＡＮクラスタ８３０）、およびＮＤＬクラスタ（たとえば、図８に示したＮＤＣ８０４）内の例示的な通信タイムライン１３１０、１３２０、１３３０、１３４０のセット１３００を示す。上記のように、第１のＮＡＮクラスタは、１３１２に示すＮＡＮ発見ウィンドウと１３１４および１３１６に示すＮＡＮビーコンとをもつ例示的なＮＡＮ発見チャネルタイムライン１３１０を有する。同じく上記のように、第２のＮＡＮクラスタは、１３３２に示すＮＡＮ発見ウィンドウと１３３４および１３３６に示すＮＡＮビーコンとをもつ例示的なＮＡＮ発見チャネルタイムライン１３３０を有する。ＮＤＬクラスタは、例示的なタイムライン１３２０上に示したように、ＤＣＷ１３２４、１３２６を備えるＮＤＬスケジュールに従ってチャネル上で動作する。上記のように、ＤＣＷは、ＮＡＮ発見ウィンドウの開始の後にＮＤＬオフセット１３２２を開始する。上記で説明したように、ＮＤＬクラスタは、発見ウィンドウタイムラインとは無関係であるＮＤＬタイムラインを維持し得る。したがって、ＮＤＬクラスタのメンバー（たとえば、図８に示したノード８１２）が、後で、第２のＮＡＮクラスタからのビーコンを検出し、第２のＮＡＮクラスタに移動することを決定すると、ＤＣＷのシーケンスが、第１のＮＡＮクラスタの発見ウィンドウ１３１２に対するオフセット１３２２とは異なる第２のＮＡＮクラスタの発見ウィンドウ１３３２に対するオフセット１３４２にあるにもかかわらず、ＮＤＬクラスタは、ＤＣＷが例示的なタイムライン１３２０上に発生するであろうのと（破線によって示される）同じ絶対時間に発生するＤＣＷ１３４４、１３４６の同じ基本シーケンスをもつＮＤＬスケジュール１３４０を使用し得る。
【０１０５】
[0122]本開示の態様によれば、局は、第１のＮＡＮクラスタのメンバーであり得、第１のＮＡＮクラスタに関連する第１のクロックに従って、第１のＮＡＮクラスタのＮＡＮ発見ウィンドウからの第１のオフセットを有するＮＤＬスケジュールを用いるＮＤＬに参加していることがある。局は、上記で説明したように、第２のＮＡＮクラスタへの移動を開始し得る。局は、ＮＤＬスケジュールの第２のＮＡＮクラスタのＮＡＮ発見ウィンドウに対する第２のオフセットを計算し得る。局は、図１３に示すように、局が第２のＮＡＮクラスタに移動する前にＮＤＬスケジュールがＮＤＬスケジュールのＤＣＷに対して変更されないままであるように第２のオフセットを計算し得る。
【０１０６】
[0123]本明細書で開示する方法は、説明した方法を達成するための１つまたは複数のステップあるいはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく、変更され得る。
【０１０７】
[0124]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１０８】
[0125]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。さらに、「決定すること」は、解決すること、選択すること、選ぶこと、確立することなどを含み得る。
【０１０９】
[0126]いくつかの場合には、フレームを実際に送信するのではなく、デバイスは、送信のためにフレームを出力するためのインターフェースを有し得る。たとえば、プロセッサは、バスインターフェースを介して、送信のためにＲＦフロントエンドにフレームを出力し得る。同様に、フレームを実際に受信するのではなく、デバイスは、別のデバイスから受信されたフレームを取得するためのインターフェースを有し得る。たとえば、プロセッサは、バスインターフェースを介して、送信のためにＲＦフロントエンドからフレームを取得（または受信）し得る。
【０１１０】
[0127]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々なハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。たとえば、図９に示した動作９００は、図９Ａに示した手段９００Ａに対応し、図１０に示した動作１０００は、図１０Ａに示した手段１０００Ａに対応し、図１１に示した動作１１００は、図１１Ａに示した手段１１００Ａに対応する。
【０１１１】
[0128]たとえば、受信するための手段、取得するための手段、および通信するための手段は、図２に示したユーザ端末１２０の受信機（たとえば、トランシーバ２５４の受信機ユニット）および／またはアンテナ２５２、図２に示したアクセスポイント１１０の受信機（たとえば、トランシーバ２２２の受信機ユニット）および／またはアンテナ２２４、あるいは図３に示した受信機３１２、アンテナ３１６、および／またはバスシステム３２２であり得る。たとえば、送信するための手段および出力するための手段は、図２に示したユーザ端末１２０の送信機（たとえば、トランシーバ２５４の送信機ユニット）および／またはアンテナ２５２、図２に示したアクセスポイント１１０の送信機（たとえば、トランシーバ２２２の送信機ユニット）および／またはアンテナ２２４、あるいは図３に示した送信機３１０、アンテナ３１６、および／またはバスシステム３２２であり得る。
【０１１２】
[0129]配置するための手段、生成するための手段、含むための手段、決定するための手段、出るための手段、維持するための手段、設定するための手段、遅延させるための手段、待機するための手段、および更新するための手段は、図２に示したユーザ端末１２０のＲＸデータプロセッサ２７０、ＴＸデータプロセッサ２８８、および／またはコントローラ２８０、あるいは図２に示したアクセスポイント１１０のＴＸデータプロセッサ２１０、ＲＸデータプロセッサ２４２、および／またはコントローラ２３０など、１つまたは複数のプロセッサを含み得る、処理システムを備え得る。
【０１１３】
[0130]いくつかの態様によれば、そのような手段は、上記で説明した（たとえば、ハードウェアでまたはソフトウェア命令を実行することによって）様々なアルゴリズムを実装することによって、対応する機能を実行するように構成された処理システムによって実装され得る。たとえば、装置を含むデバイスのグループ間でデータを通信するためのデータ通信ウィンドウ（ＤＣＷ）タイムラインを決定するためのアルゴリズム、およびＤＣＷタイムラインのためのローカルクロックを維持するためのアルゴリズム、およびローカルクロックと第１のネットワーククラスタに関連するクロックとの間の相対的なドリフトまたは第１のネットワーククラスタから第２のネットワーククラスタへの装置の移動のうちの少なくとも１つに基づいてローカルクロックを更新するためのアルゴリズムは、上記の機能を実行するように構成された処理システムによって実装され得る。
【０１１４】
[0131]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実施するように設計されたそれらの任意の組合せを用いて実装または実施され得る。汎用プロセッサは、マイクロプロセッサであり得るが、代替的に、プロセッサは、任意の市販されているプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、または任意の他のそのような構成として実装され得る。
【０１１５】
[0132]ハードウェアで実装される場合、例示的なハードウェア構成は、ワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明しない。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。当業者は、特定の適用例と、全体的なシステムに課される全体的な設計制約とに応じて、どのようにしたら処理システムについて説明した機能を最も良く実装し得るかを理解されよう。
【０１１６】
[0133]ソフトウェアで実装される場合、機能は、１つまたは複数の命令またはコードとしてコンピュータ可読媒体上に記憶されるか、あるいはコンピュータ可読媒体を介して送信され得る。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。コンピュータ可読媒体は、コンピュータ記憶媒体と、ある場所から別の場所へのコンピュータプログラムの転送を円滑にする任意の媒体を含む通信媒体の両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、その記憶媒体に情報を書き込むことができるように、プロセッサに結合され得る。代替として、記憶媒体はプロセッサに一体化され得る。例として、機械可読媒体は、すべてがバスインターフェースを介してプロセッサによってアクセスされ得る、伝送線路、データによって変調された搬送波、および／またはワイヤレスノードとは別個のその上に記憶された命令をもつコンピュータ可読記憶媒体を含み得る。代替的に、または追加として、機械可読媒体またはその任意の部分は、キャッシュおよび／または汎用レジスタファイルがそうであり得るように、プロセッサに統合され得る。機械可読記憶媒体の例は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（登録商標）（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。
【０１１７】
[0134]ソフトウェアモジュールは、単一の命令、または多くの命令を備え得、いくつかの異なるコードセグメント上で、異なるプログラム間で、および複数の記憶媒体にわたって分散され得る。コンピュータ可読媒体はいくつかのソフトウェアモジュールを備え得る。ソフトウェアモジュールは、プロセッサなどの装置によって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数のストレージデバイスにわたって分散され得る。例として、トリガイベントが発生したとき、ソフトウェアモジュールがハードドライブからＲＡＭにロードされ得る。ソフトウェアモジュールの実行中に、プロセッサは、アクセス速度を高めるために、命令のうちのいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行するとき、プロセッサによって実装されることが理解されよう。
【０１１８】
[0135]また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は、一時的コンピュータ可読媒体（たとえば、信号）を備え得る。上記の組合せもコンピュータ可読媒体の範囲に含めるべきである。
【０１１９】
[0136]したがって、いくつかの態様は、本明細書で提示された動作を実施するためのコンピュータプログラム製品を備え得る。たとえば、そのようなコンピュータプログラム製品は、本明細書で説明する動作を実行するために１つまたは複数のプロセッサによって実行可能である命令を記憶した（および／または符号化した）コンピュータ可読媒体を備え得る。たとえば、第１の間隔に従って発生するネットワークのための第１のタイプの発見ウィンドウの発生を決定するための命令、第１の間隔よりも短い第２の間隔に従って発生するための第２のタイプの発見ウィンドウの発生を決定するための命令、ネットワークに関連する少なくとも１つの他の装置から、第１のタイプの発見ウィンドウまたは第２のタイプの発見ウィンドウのうちの少なくとも１つ中に、時間同期情報またはサービス情報のうちの少なくとも１つを取得するための命令、およびネットワークにおける送信のために、第１のタイプの発見ウィンドウまたは第２のタイプの発見ウィンドウのうちの少なくとも１つ中に、時間同期情報またはサービス情報のうちの少なくとも１つを出力するための命令。
【０１２０】
[0137]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに与えるための任意の他の好適な技法が利用され得る。
【０１２１】
[0138]特許請求の範囲は、上記で示した厳密な構成および構成要素に限定されないことを理解されたい。上記の方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］
ワイヤレス通信のための装置であって、
第１のネットワーククラスタに関連する第１のクロックに対する第１のオフセットを有する第１のデータ通信ウィンドウ（ＤＣＷ）タイムラインに従って、前記装置を含むグループの１つまたは複数のメンバーと通信することと、
第２のネットワーククラスタに関連するビーコンを検出すること、ここにおいて、前記ビーコンは、前記第２のネットワーククラスタに関連する第２のクロックのタイミング情報を備える、と、
前記第２のネットワーククラスタへの前記グループの移動を開始すべきかどうかを決定することと、
前記決定が前記移動を開始することである場合、前記第２のネットワーククラスタへの前記グループの前記移動を開始するためにフレームを生成すること、前記フレームが、前記第２のクロックの前記タイミング情報の第１のインジケーションを備える、と
を行うように構成された処理システムと、
送信のために前記フレームを出力するように構成されたインターフェースと
を備える、装置。
［Ｃ２］
前記インターフェースは、前記第１のＤＣＷタイムラインの１つまたは複数のＤＣＷ中の送信のために前記フレームを出力するように構成された、
［Ｃ１］に記載の装置。
［Ｃ３］
前記フレームは、前記グループが前記第２のネットワーククラスタに移動する時間の第２のインジケーションをさらに備える、
［Ｃ１］に記載の装置。
［Ｃ４］
前記フレームは、前記装置が前記第２のネットワーククラスタに移動する時間の第２のインジケーションをさらに備える、
［Ｃ１］に記載の装置。
［Ｃ５］
前記フレームは、ランクの第２のインジケーションをさらに備え、ここにおいて、前記ランクは、前記第２のネットワーククラスタ中のデバイスが前記第１のネットワーククラスタまたは前記第２のネットワーククラスタ中のアンカーマスタとして動作する等級を表す、
［Ｃ１］に記載の装置。
［Ｃ６］
前記タイミング情報は、前記第２のネットワーククラスタのタイミング同期機能（ＴＳＦ）値を備える、
［Ｃ１］に記載の装置。
［Ｃ７］
前記タイミング情報は、前記第１のネットワーククラスタのタイミング同期機能（ＴＳＦ）値に対する前記第２のネットワーククラスタのＴＳＦ値の第２のオフセットを備える、
［Ｃ１］に記載の装置。
［Ｃ８］
前記処理システムは、前記第２のクロックの前記タイミング情報に基づいて、前記移動の後に前記グループのメンバーによってデータを通信するためのＤＣＷの発生のための第２のＤＣＷタイムラインを決定するように構成された、
［Ｃ１］に記載の装置。
［Ｃ９］
前記第１のＤＣＷタイムラインは、ＤＣＷのシーケンスと第１のオフセット値とに基づき、
前記第２のＤＣＷタイムラインの前記決定は、前記シーケンスと第２のオフセット値とに基づく、
［Ｃ８］に記載の装置。
［Ｃ１０］
前記第２のＤＣＷタイムラインは、前記第２のネットワーククラスタに関連する前記第２のクロックに対する第２のオフセットを有し、前記第２のオフセットは、前記第１のオフセットに等しい、
［Ｃ８］に記載の装置。
［Ｃ１１］
前記処理システムは、
前記第２のクロックの前記タイミング情報を備えるネイバーアウェアネットワーキング（ＮＡＮ）ビーコンを生成することを行うように構成され、
前記インターフェースは、前記グループが前記第２のネットワーククラスタに移動した後に前記第２のネットワーククラスタの発見ウィンドウ（ＤＷ）中の送信のために前記ＮＡＮビーコンを出力するように構成された、
［Ｃ１］に記載の装置。
［Ｃ１２］
前記ビーコンは、前記第２のネットワーククラスタ中のデバイスが前記第１のネットワーククラスタまたは前記第２のネットワーククラスタ中のアンカーマスタとして動作する等級を表すランクをさらに備え、前記決定が、前記ランクに基づく、
［Ｃ１］に記載の装置。
［Ｃ１３］
前記決定は、少なくともしきい値回数前記ビーコンを検出することに基づく、
［Ｃ１］に記載の装置。
［Ｃ１４］
前記決定は、前記第２のネットワーククラスタ中でのサービスの存在に基づき、
前記処理システムは、前記決定が前記サービスが存在するというものである場合に前記移動を開始するように構成された、
［Ｃ１］に記載の装置。
［Ｃ１５］
前記処理システムは、
前記装置のプロパティ、前記グループの別のメンバーとの合意、前記第１のネットワーククラスタのプロパティ、または前記装置上で動作するアプリケーションのうちの少なくとも１つに基づいて送信のために前記フレームを出力する時間を決定することと、
前記決定された時間まで送信のために前記フレームを出力することを遅延させることと
を行うようにさらに構成された、［Ｃ１］に記載の装置。
［Ｃ１６］
前記処理システムは、
送信のために前記フレームを出力した後に応答を取得することと、
前記応答が前記移動の拒否を備える場合、前記第２のネットワーククラスタに移動すべきか、または前記第２のネットワーククラスタへの前記移動をキャンセルすべきかを決定することと
を行うようにさらに構成された、［Ｃ１］に記載の装置。
［Ｃ１７］
ワイヤレス通信のための装置であって、
第１のネットワーククラスタから第２のネットワーククラスタへの、前記装置を含むデバイスのグループの移動を告知する第１のフレームを取得するように構成された受信インターフェース、ここにおいて、前記第１のフレームは、前記第２のネットワーククラスタに関連するクロックのタイミング情報を備える、と、
前記タイミング情報に基づいて、前記装置が前記移動の後に前記グループの１つまたは複数のメンバーとデータを通信するためのデータ通信ウィンドウ（ＤＣＷ）タイムラインを決定することと、
前記ＤＣＷタイムラインに従って前記移動の後に前記グループの前記１つまたは複数のメンバーと通信することと
を行うように構成された処理システムと
を備える、装置。
［Ｃ１８］
前記処理システムは、前記移動を告知する第２のフレームを生成するように構成され、前記第２のフレームは、前記第２のネットワーククラスタに関連する前記クロックの前記タイミング情報を備える、
前記装置は、送信のために前記第２のフレームを出力するように構成された送信インターフェースを備える、
［Ｃ１７］に記載の装置。
［Ｃ１９］
前記処理システムは、前記移動を告知する第２のフレームを生成するように構成され、前記第２のフレームは、前記ＤＣＷタイムラインに関する情報を備える、
前記装置は、送信のために前記第２のフレームを出力するように構成された送信インターフェースを備える、
［Ｃ１７］に記載の装置。
［Ｃ２０］
前記受信インターフェースは、前記ＤＣＷタイムラインを確認する前記第２のフレームに対する応答を取得するようにさらに構成され、
前記処理システムは、前記応答が取得された後に前記ＤＣＷタイムラインに従って前記グループの前記１つまたは複数のメンバーと通信するように構成された、
［Ｃ１９］に記載の装置。
［Ｃ２１］
前記処理システムは、前記移動より前に使用された別のＤＣＷタイムラインの、前記第１のネットワーククラスタに関連する発見ウィンドウ（ＤＷ）に対する第１のオフセットを決定するようにさらに構成され、
前記処理システムは、前記他のＤＣＷタイムラインと前記第２のネットワーククラスタに関連するＤＷに対する第２のオフセットとに基づいて前記ＤＣＷタイムラインを決定するように構成された、
［Ｃ１７］に記載の装置。
［Ｃ２２］
前記移動より前に使用された別のＤＣＷタイムラインが、ＤＣＷのシーケンスと第１のオフセット値とに基づき、
前記処理システムは、前記シーケンスと第２のオフセット値とに基づいて前記ＤＣＷタイムラインを決定するように構成された、
［Ｃ１７］に記載の装置。
［Ｃ２３］
装置によるワイヤレス通信のための方法であって、
第１のネットワーククラスタに関連する第１のクロックに対する第１のオフセットを有する第１のデータ通信ウィンドウ（ＤＣＷ）タイムラインに従って、前記装置を含むグループの１つまたは複数のメンバーと通信することと、
第２のネットワーククラスタに関連するビーコンを検出すること、ここにおいて、前記ビーコンは、前記第２のネットワーククラスタに関連する第２のクロックのタイミング情報を備える、と、
前記第２のネットワーククラスタへの前記グループの移動を開始すべきかどうかを決定することと、
前記決定が前記移動を開始することである場合、前記第２のネットワーククラスタへの前記グループの前記移動を開始するためにフレームを生成すること、前記フレームは、前記第２のクロックの前記タイミング情報の第１のインジケーションを備える、と、
送信のために前記フレームを出力することと
を備える、方法。
［Ｃ２４］
前記フレームは、前記第１のＤＣＷタイムラインの１つまたは複数のＤＣＷ中の送信のために出力される、
［Ｃ２３］に記載の方法。
［Ｃ２５］
前記フレームは、前記グループが前記第２のネットワーククラスタに移動する時間の第２のインジケーションをさらに備える、
［Ｃ２３］に記載の方法。
［Ｃ２６］
前記フレームは、前記装置が前記第２のネットワーククラスタに移動する時間の第２のインジケーションをさらに備える、
［Ｃ２３］に記載の方法。
［Ｃ２７］
前記フレームは、ランクの第２のインジケーションをさらに備え、前記ランクは、前記第２のネットワーククラスタ中のデバイスが前記第１のネットワーククラスタまたは前記第２のネットワーククラスタ中のアンカーマスタとして動作する等級を表す、
［Ｃ２３］に記載の方法。
［Ｃ２８］
前記タイミング情報は、前記第２のネットワーククラスタのタイミング同期機能（ＴＳＦ）値を備える、
［Ｃ２３］に記載の方法。
［Ｃ２９］
前記タイミング情報は、前記第１のネットワーククラスタのタイミング同期機能（ＴＳＦ）値に対する前記第２のネットワーククラスタのＴＳＦ値の第２のオフセットを備える、
［Ｃ２３］に記載の方法。
［Ｃ３０］
前記第２のクロックの前記タイミング情報に基づいて、前記移動の後に前記グループのメンバーによってデータを通信するためのＤＣＷの発生のための第２のＤＣＷタイムラインを決定することをさらに備える、
［Ｃ２３］に記載の方法。
［Ｃ３１］
前記第１のＤＣＷタイムラインは、ＤＣＷのシーケンスと第１のオフセット値とに基づき、
前記第２のＤＣＷタイムラインの前記決定は、前記シーケンスと第２のオフセット値とに基づく、
［Ｃ３０］に記載の方法。
［Ｃ３２］
前記第２のＤＣＷタイムラインは、前記第２のネットワーククラスタに関連する前記第２のクロックに対する第２のオフセットを有し、前記第２のオフセットは、前記第１のオフセットに等しい、
［Ｃ３０］に記載の方法。
［Ｃ３３］
前記第２のクロックの前記タイミング情報を備えるネイバーアウェアネットワーキング（ＮＡＮ）ビーコンを生成することと、
前記グループが前記第２のネットワーククラスタに移動した後に前記第２のネットワーククラスタの発見ウィンドウ（ＤＷ）中の送信のために前記ＮＡＮビーコンを出力することと
をさらに備える、［Ｃ２３］に記載の方法。
［Ｃ３４］
前記ビーコンは、前記第２のネットワーククラスタ中のデバイスが前記第１のネットワーククラスタまたは前記第２のネットワーククラスタ中のアンカーマスタとして動作する等級を表すランクをさらに備え、前記決定は、前記ランクに基づく、
［Ｃ２３］に記載の方法。
［Ｃ３５］
前記決定は、少なくともしきい値回数前記ビーコンを検出することに基づく、
［Ｃ２３］に記載の方法。
［Ｃ３６］
前記決定は、前記第２のネットワーククラスタ中でのサービスの存在に基づき、
前記移動は、前記決定が前記サービスが存在するというものである場合に開始される、
［Ｃ２３］に記載の方法。
［Ｃ３７］
前記装置のプロパティ、前記グループの別のメンバーとの合意、前記第１のネットワーククラスタのプロパティ、または前記装置上で動作するアプリケーションのうちの少なくとも１つに基づいて送信のために前記フレームを出力する時間を決定することと、
前記決定された時間まで送信のために前記フレームを出力することを遅延させることと
をさらに備える、［Ｃ２３］に記載の方法。
［Ｃ３８］
送信のために前記フレームを出力した後に応答を取得することと、
前記応答が前記移動の拒否を備える場合、前記第２のネットワーククラスタに移動すべきか、または前記第２のネットワーククラスタへの前記移動をキャンセルすべきかを決定することと
をさらに備える、［Ｃ２３］に記載の方法。
［Ｃ３９］
装置によるワイヤレス通信のための方法であって、
第１のネットワーククラスタから第２のネットワーククラスタへの、前記装置を含むデバイスのグループの移動を告知する第１のフレームを取得すること、ここにおいて、前記第１のフレームは、前記第２のネットワーククラスタに関連するクロックのタイミング情報を備える、と、
前記タイミング情報に基づいて、前記装置が前記移動の後に前記グループの１つまたは複数のメンバーとデータを通信するためのデータ通信ウィンドウ（ＤＣＷ）タイムラインを決定することと、
前記ＤＣＷタイムラインに従って前記移動の後に前記グループの前記１つまたは複数のメンバーと通信することと
を備える、方法。
［Ｃ４０］
前記移動を告知する第２のフレームを生成することと、前記第２のフレームは、前記第２のネットワーククラスタに関連する前記クロックの前記タイミング情報を備える、
送信のために前記第２のフレームを出力することと
をさらに備える、［Ｃ３９］に記載の方法。
［Ｃ４１］
前記移動を告知する第２のフレームを生成することと、前記第２のフレームは、前記ＤＣＷタイムラインに関する情報を備える、と、
送信のために前記第２のフレームを出力することと
をさらに備える、［Ｃ３９］に記載の方法。
［Ｃ４２］
前記ＤＣＷタイムラインを確認する前記第２のフレームに対する応答を取得することと、
前記応答が取得された後に前記ＤＣＷタイムラインに従って前記グループの前記１つまたは複数のメンバーと通信することと
をさらに備える、［Ｃ４１］に記載の方法。
［Ｃ４３］
前記移動より前に使用された別のＤＣＷタイムラインの、前記第１のネットワーククラスタに関連する発見ウィンドウ（ＤＷ）に対する第１のオフセットを決定することと、
前記他のＤＣＷタイムラインと前記第２のネットワーククラスタに関連するＤＷに対する第２のオフセットとに基づいて前記ＤＣＷタイムラインを決定することと
をさらに備える、［Ｃ３９］に記載の装置。
［Ｃ４４］
前記移動より前に使用された別のＤＣＷタイムラインが、ＤＣＷのシーケンスと第１のオフセット値とに基づき、
前記方法は、前記シーケンスと第２のオフセット値とに基づいて前記ＤＣＷタイムラインを決定することをさらに備える、
［Ｃ３９］に記載の方法。
［Ｃ４５］
ワイヤレス通信のための装置であって、
第１のネットワーククラスタに関連する第１のクロックに対する第１のオフセットを有する第１のデータ通信ウィンドウ（ＤＣＷ）タイムラインに従って、前記装置を含むグループの１つまたは複数のメンバーと通信するための手段と、
第２のネットワーククラスタに関連するビーコンを検出するための手段、ここにおいて、前記ビーコンは、前記第２のネットワーククラスタに関連する第２のクロックのタイミング情報を備える、と、
前記第２のネットワーククラスタへの前記グループの移動を開始すべきかどうかを決定するための手段と、
前記決定が前記移動を開始することである場合、前記第２のネットワーククラスタへの前記グループの前記移動を開始するためにフレームを生成するための手段、前記フレームは、前記第２のクロックの前記タイミング情報の第１のインジケーションを備える、と、
送信のために前記フレームを出力するための手段と
を備える、装置。
［Ｃ４６］
前記フレームは、前記第１のＤＣＷタイムラインの１つまたは複数のＤＣＷ中の送信のために出力される、
［Ｃ４５］に記載の装置。
［Ｃ４７］
前記フレームは、前記グループが前記第２のネットワーククラスタに移動する時間の第２のインジケーションをさらに備える、
［Ｃ４５］に記載の装置。
［Ｃ４８］
前記フレームは、前記装置が前記第２のネットワーククラスタに移動する時間の第２のインジケーションをさらに備える、
［Ｃ４５］に記載の装置。
［Ｃ４９］
前記フレームは、ランクの第２のインジケーションをさらに備え、前記ランクは、前記第２のネットワーククラスタ中のデバイスが前記第１のネットワーククラスタまたは前記第２のネットワーククラスタ中のアンカーマスタとして動作する等級を表す、
［Ｃ４５］に記載の装置。
［Ｃ５０］
前記タイミング情報は、前記第２のネットワーククラスタのタイミング同期機能（ＴＳＦ）値を備える、
［Ｃ４５］に記載の装置。
［Ｃ５１］
前記タイミング情報は、前記第１のネットワーククラスタのタイミング同期機能（ＴＳＦ）値に対する前記第２のネットワーククラスタのＴＳＦ値の第２のオフセットを備える、
［Ｃ４５］に記載の装置。
［Ｃ５２］
前記第２のクロックの前記タイミング情報に基づいて、前記移動の後に前記グループのメンバーによってデータを通信するためのＤＣＷの発生のための第２のＤＣＷタイムラインを決定するための手段をさらに備える、
［Ｃ４５］に記載の装置。
［Ｃ５３］
前記第１のＤＣＷタイムラインは、ＤＣＷのシーケンスと第１のオフセット値とに基づき、
前記第２のＤＣＷタイムラインの前記決定は、前記シーケンスと第２のオフセット値とに基づく、
［Ｃ５２］に記載の装置。
［Ｃ５４］
前記第２のＤＣＷタイムラインは、前記第２のネットワーククラスタに対する前記第２のクロックに関係する第２のオフセットを有し、前記第２のオフセットは、前記第１のオフセットに等しい、
［Ｃ５２］に記載の装置。
［Ｃ５５］
前記第２のクロックの前記タイミング情報を備えるネイバーアウェアネットワーキング（ＮＡＮ）ビーコンを生成するための手段と、
前記グループが前記第２のネットワーククラスタに移動した後に前記第２のネットワーククラスタの発見ウィンドウ（ＤＷ）中の送信のために前記ＮＡＮビーコンを出力するための手段と
をさらに備える、［Ｃ４５］に記載の装置。
［Ｃ５６］
前記ビーコンは、前記第２のネットワーククラスタ中のデバイスが前記第１のネットワーククラスタまたは前記第２のネットワーククラスタ中のアンカーマスタとして動作する等級を表すランクをさらに備え、前記決定は、前記ランクに基づく、
［Ｃ４５］に記載の装置。
［Ｃ５７］
前記決定は、少なくともしきい値回数前記ビーコンを検出することに基づく、
［Ｃ４５］に記載の装置。
［Ｃ５８］
前記決定は、前記第２のネットワーククラスタ中でのサービスの存在に基づき、
前記移動は、前記決定が前記サービスが存在するというものである場合に開始される、
［Ｃ４５］に記載の装置。
［Ｃ５９］
前記装置のプロパティ、前記グループの別のメンバーとの合意、前記第１のネットワーククラスタのプロパティ、または前記装置上で動作するアプリケーションのうちの少なくとも１つに基づいて送信のために前記フレームを出力する時間を決定するための手段と、
前記決定された時間まで送信のために前記フレームを出力することを遅延させるための手段と
をさらに備える、［Ｃ４５］に記載の装置。
［Ｃ６０］
送信のために前記フレームを出力した後に応答を取得するための手段と、
前記応答が前記移動の拒否を備える場合、前記第２のネットワーククラスタに移動すべきか、または前記第２のネットワーククラスタへの前記移動をキャンセルすべきかを決定するための手段と
をさらに備える、［Ｃ４５］に記載の装置。
［Ｃ６１］
ワイヤレス通信のための装置であって、
第１のネットワーククラスタから第２のネットワーククラスタへの、前記装置を含むデバイスのグループの移動を告知する第１のフレームを取得するための手段、ここにおいて、前記第１のフレームは、前記第２のネットワーククラスタに関連するクロックのタイミング情報を備える、と、
前記タイミング情報に基づいて、前記装置が前記移動の後に前記グループの１つまたは複数のメンバーとデータを通信するためのデータ通信ウィンドウ（ＤＣＷ）タイムラインを決定するための手段と、
前記ＤＣＷタイムラインに従って前記移動の後に前記グループの前記１つまたは複数のメンバーと通信するための手段と
を備える、装置。
［Ｃ６２］
前記移動を告知する第２のフレームを生成するための手段、前記第２のフレームは、前記第２のネットワーククラスタに関連する前記クロックの前記タイミング情報を備える、と、
送信のために前記第２のフレームを出力するための手段と
をさらに備える、［Ｃ６１］に記載の装置。
［Ｃ６３］
前記移動を告知する第２のフレームを生成するための手段、前記第２のフレームは、前記ＤＣＷタイムラインに関する情報を備える、と、
送信のために前記第２のフレームを出力するための手段と
をさらに備える、［Ｃ６１］に記載の装置。
［Ｃ６４］
前記ＤＣＷタイムラインを確認する前記第２のフレームに対する応答を取得するための手段と、
前記応答が取得された後に前記ＤＣＷタイムラインに従って前記グループの前記１つまたは複数のメンバーと通信するための手段と
をさらに備える、［Ｃ６３］に記載の装置。
［Ｃ６５］
前記移動より前に使用された別のＤＣＷタイムラインの、前記第１のネットワーククラスタに関連する発見ウィンドウ（ＤＷ）に対する第１のオフセットを決定するための手段と、
前記他のＤＣＷタイムラインと前記第２のネットワーククラスタに関連するＤＷに対する第２のオフセットとに基づいて前記ＤＣＷタイムラインを決定するための手段と
をさらに備える、［Ｃ６１］に記載の装置。
［Ｃ６６］
前記移動より前に使用された別のＤＣＷタイムラインは、ＤＣＷのシーケンスと第１のオフセット値とに基づき、
前記装置は、前記シーケンスと第２のオフセット値とに基づいて前記ＤＣＷタイムラインを決定するための手段をさらに備える、
［Ｃ６１］に記載の装置。
［Ｃ６７］
装置によるワイヤレス通信のための命令を記憶したコンピュータ可読媒体であって、前記命令は、
第１のネットワーククラスタに関連する第１のクロックに対する第１のオフセットを有する第１のデータ通信ウィンドウ（ＤＣＷ）タイムラインに従って、前記装置を含むグループの１つまたは複数のメンバーと通信することと、
第２のネットワーククラスタに関連するビーコンを検出すること、ここにおいて、前記ビーコンは、前記第２のネットワーククラスタに関連する第２のクロックのタイミング情報を備える、と、
前記第２のネットワーククラスタへの前記グループの移動を開始すべきかどうかを決定することと、
前記決定が前記移動を開始することである場合、前記第２のネットワーククラスタへの前記グループの前記移動を開始するためにフレームを生成すること、前記フレームは、前記第２のクロックの前記タイミング情報の第１のインジケーションを備える、と、
送信のために前記フレームを出力することと
を行う、コンピュータ可読媒体。
［Ｃ６８］
装置によるワイヤレス通信のための命令を記憶したコンピュータ可読媒体であって、前記命令は、
第１のネットワーククラスタから第２のネットワーククラスタへの、前記装置を含むデバイスのグループの移動を告知する第１のフレームを取得すること、ここにおいて、前記第１のフレームは、前記第２のネットワーククラスタに関連するクロックのタイミング情報を備える、と、
前記タイミング情報に基づいて、前記装置が前記移動の後に前記グループの１つまたは複数のメンバーとデータを通信するためのデータ通信ウィンドウ（ＤＣＷ）タイムラインを決定することと、
前記ＤＣＷタイムラインに従って前記移動の後に前記グループの前記１つまたは複数のメンバーと通信することと
を行う、コンピュータ可読媒体。
［Ｃ６９］
ワイヤレス局であって、
第１のネットワーククラスタに関連する第１のクロックに対する第１のオフセットを有する第１のデータ通信ウィンドウ（ＤＣＷ）タイムラインに従って、前記ワイヤレス局を含むグループの１つまたは複数のメンバーと通信することと、
第２のネットワーククラスタに関連するビーコンを検出すること、ここにおいて、前記ビーコンは、前記第２のネットワーククラスタに関連する第２のクロックのタイミング情報を備える、と、
前記第２のネットワーククラスタへの前記グループの移動を開始すべきかどうかを決定することと、
前記決定が前記移動を開始することである場合、前記第２のネットワーククラスタへの前記グループの前記移動を開始するためにフレームを生成すること、前記フレームは、前記第２のクロックの前記タイミング情報の第１のインジケーションを備える、と、
を行うように構成された処理システムと、
前記フレームを送信するように構成された送信機と
を備える、ワイヤレス局。
［Ｃ７０］
ワイヤレス局であって、
第１のネットワーククラスタから第２のネットワーククラスタへの、前記ワイヤレス局を含むデバイスのグループの移動を告知する第１のフレームを受信するように構成された受信機、ここにおいて、前記第１のフレームは、前記第２のネットワーククラスタに関連するクロックのタイミング情報を備える、と、
前記タイミング情報に基づいて、前記装置が前記移動の後に前記グループの１つまたは複数のメンバーとデータを通信するためのデータ通信ウィンドウ（ＤＣＷ）タイムラインを決定することと、
前記ＤＣＷタイムラインに従って前記移動の後に前記グループの前記１つまたは複数のメンバーと通信することと
を行うように構成された処理システムと
を備える、ワイヤレス局。
【図１】
2019083573.tif 000003
【図２】
2019083573.tif 000004
【図３】
2019083573.tif 000005
【図４】
2019083573.tif 000006
【図５】
2019083573.tif 000007
【図６】
2019083573.tif 000008
【図７】
2019083573.tif 000009
【図８】
2019083573.tif 000010
【図９】
2019083573.tif 000011
【図９Ａ】
2019083573.tif 000012
【図１０】
2019083573.tif 000013
【図１０Ａ】
2019083573.tif 000014
【図１１】
2019083573.tif 000015
【図１１Ａ】
2019083573.tif 000016
【図１２】
2019083573.tif 000017
【図１３】
2019083573.tif 000018
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１のネットワーククラスタから第２のネットワーククラスタへの、前記装置を含むデバイスのグループの移動を告知する第１のフレームを取得するように構成されたインターフェース、ここにおいて、前記第１のフレームは、前記第２のネットワーククラスタに関連するクロックのタイミング情報を備える、と、
前記タイミング情報に基づいて、データ通信ウィンドウ（ＤＣＷ）タイムラインに関連するオフセットを決定すること、ここにおいて、前記ＤＣＷタイムラインは、前記第２のネットワーククラスタに関連する、と、
前記オフセットに基づいて、前記装置が前記移動の後に前記グループの１つまたは複数のメンバーとデータを通信するための前記ＤＣＷタイムラインを決定することと
を行うように構成された処理システム、ここにおいて、前記インターフェースは、前記ＤＣＷタイムラインに従って前記移動の後に前記グループの前記１つまたは複数のメンバーと通信するように構成される、と
を備える、装置。
【請求項２】
前記処理システムは、前記移動を告知する第２のフレームを生成するように構成され、前記第２のフレームは、前記第２のネットワーククラスタに関連する前記クロックの前記タイミング情報を備える、
前記インターフェースは、送信のために前記第２のフレームを出力するように構成された、
請求項１に記載の装置。
【請求項３】
前記処理システムは、前記移動を告知する第２のフレームを生成するように構成され、前記第２のフレームは、前記ＤＣＷタイムラインに関する情報を備える、
前記インターフェースは、送信のために前記第２のフレームを出力するように構成された、
請求項１に記載の装置。
【請求項４】
前記インターフェースは、
前記ＤＣＷタイムラインを確認する前記第２のフレームに対する応答を取得することと、
前記応答が取得された後に前記ＤＣＷタイムラインに従って前記グループの前記１つまたは複数のメンバーと通信することと
を行うようにさらに構成された、
請求項３に記載の装置。
【請求項５】
前記処理システムは、前記移動より前に使用された別のＤＣＷタイムラインの、前記第１のネットワーククラスタに関連する発見ウィンドウ（ＤＷ）に対する別のオフセットを決定するようにさらに構成され、
前記処理システムは、前記別のＤＣＷタイムラインと、前記別のオフセットとに基づいて前記ＤＣＷタイムラインを決定するように構成された、
請求項１に記載の装置。
【請求項６】
前記移動より前に使用された別のＤＣＷタイムラインが、ＤＣＷのシーケンスと、別のオフセット値とに基づき、
前記処理システムは、前記シーケンスと、前記オフセットとに基づいて前記ＤＣＷタイムラインを決定するように構成された、
請求項１に記載の装置。
【請求項７】
装置によるワイヤレス通信のための方法であって、
第１のネットワーククラスタから第２のネットワーククラスタへの、前記装置を含むデバイスのグループの移動を告知する第１のフレームを取得すること、ここにおいて、前記第１のフレームは、前記第２のネットワーククラスタに関連するクロックのタイミング情報を備える、と、
前記タイミング情報に基づいて、データ通信ウィンドウ（ＤＣＷ）タイムラインに関連するオフセットを決定すること、ここにおいて、前記ＤＣＷタイムラインは、前記第２のネットワーククラスタに関連する、と、
前記オフセットに基づいて、前記装置が前記移動の後に前記グループの１つまたは複数のメンバーとデータを通信するための前記ＤＣＷタイムラインを決定することと、
前記ＤＣＷタイムラインに従って前記移動の後に前記グループの前記１つまたは複数のメンバーと通信することと
を備える、方法。
【請求項８】
前記移動を告知する第２のフレームを生成することと、前記第２のフレームは、前記第２のネットワーククラスタに関連する前記クロックの前記タイミング情報を備える、
送信のために前記第２のフレームを出力することと
をさらに備える、請求項７に記載の方法。
【請求項９】
前記移動を告知する第２のフレームを生成することと、前記第２のフレームは、前記ＤＣＷタイムラインに関する情報を備える、と、
送信のために前記第２のフレームを出力することと
をさらに備える、請求項７に記載の方法。
【請求項１０】
前記ＤＣＷタイムラインを確認する前記第２のフレームに対する応答を取得することと、
前記応答が取得された後に前記ＤＣＷタイムラインに従って前記グループの前記１つまたは複数のメンバーと通信することと
をさらに備える、請求項９に記載の方法。
【請求項１１】
前記移動より前に使用された別のＤＣＷタイムラインの、前記第１のネットワーククラスタに関連する発見ウィンドウ（ＤＷ）に対する別のオフセットを決定することと、
前記別のＤＣＷタイムラインと、前記別のオフセットとに基づいて前記ＤＣＷタイムラインを決定することと
をさらに備える、請求項７に記載の方法。
【請求項１２】
前記移動より前に使用された別のＤＣＷタイムラインは、ＤＣＷのシーケンスと、別のオフセットとに基づき、
前記方法は、前記シーケンスと、前記オフセットとに基づいて前記ＤＣＷタイムラインを決定することをさらに備える、
請求項７に記載の方法。
【請求項１３】
ワイヤレス局であって、
第１のネットワーククラスタから第２のネットワーククラスタへの、前記ワイヤレス局を含むデバイスのグループの移動を告知する第１のフレームを受信するように構成されたトランシーバ、ここにおいて、前記第１のフレームは、前記第２のネットワーククラスタに関連するクロックのタイミング情報を備える、と、
前記タイミング情報に基づいて、データ通信ウィンドウ（ＤＣＷ）タイムラインに関連するオフセットを決定すること、ここにおいて、前記ＤＣＷタイムラインは、前記第２のネットワーククラスタに関連する、と、
前記オフセットに基づいて、前記ワイヤレス局が前記移動の後に前記グループの１つまたは複数のメンバーとデータを通信するための前記ＤＣＷタイムラインを決定することと
を行うように構成された処理システム、ここにおいて、前記トランシーバは、前記ＤＣＷタイムラインに従って前記移動の後に前記グループの前記１つまたは複数のメンバーと通信するように構成される、と
を備える、ワイヤレス局。